(57)【特許請求の範囲】
【請求項１】
画像を表示する複数の端末と、
前記複数の端末における前記画像の表示を制御する制御装置と、
前記複数の端末のそれぞれに対応して設けられ、対応する端末に前記画像が表示されている期間は入射光を透過する状態とされ、それ以外の期間は入射光を遮光する状態とされる複数の光シャッタと、を有し、
前記制御装置は、前記画像が前記複数の端末に同時に表示されないように前記複数の端末を制御する、ディスプレイシステム。
【請求項２】
前記制御装置は、前記複数の端末のそれぞれに、前記画像と前記画像とは異なる別の画像とを時分割で表示させ、前記複数の端末の間で、それぞれの端末に表示される画像の切り替わりを同期させる、請求項１に記載のディスプレイシステム。
【請求項３】
前記別の画像は、前記画像を打ち消す打消画像を含み、
前記制御装置は、前記複数の端末のそれぞれについて、当該端末における前記打消画像の表示期間が残りの端末における前記画像の表示期間と重ならないように制御する、請求項２に記載のディスプレイシステム。
【請求項４】
前記打消画像は、前記画像を構成する複数の画素と対応する複数の画素からなり、各画素の輝度値に前記画像の対応する画素の輝度値を加算した場合に、加算後の各画素の輝度値が一定になる、請求項３に記載のディスプレイシステム。
【請求項５】
前記別の画像は、前記画像および打消画像の両画像とは異なる公衆画像を含む、請求項２から４のいずれか１項に記載のディスプレイシステム。
【請求項６】
前記公衆画像は、階調が一様な単色画像である、請求項５に記載のディスプレイシステム。
【請求項７】
前記制御装置は、前記複数の端末のそれぞれについて、フレーム毎に、前記画像、前記打消画像および前記公衆画像を時分割で表示させ、各フレームにおける前記画像、前記打消画像および前記公衆画像の表示順序が同じである、請求項５または６に記載のディスプレイシステム。
【請求項８】
前記制御装置は、前記複数の端末のそれぞれについて、フレーム毎に、前記画像、前記打消画像および前記公衆画像を時分割で表示させる表示順序をランダムに決定する、請求項５または６に記載のディスプレイシステム。
【請求項９】
前記制御装置は、前記複数の端末のそれぞれについて、前記フレームの周期をランダムに設定する、請求項７または８に記載のディスプレイシステム。
【請求項１０】
前記制御装置は、前記複数の端末のそれぞれについて、前記フレーム内における、前記画像、前記打消画像および前記公衆画像のそれぞれの表示期間をランダムに設定する、請求項７から９のいずれか１項に記載のディスプレイシステム。
【請求項１１】
前記制御装置は、前記公衆画像を所定時間にわたって前記複数の端末に同時に表示させる、請求項７から１０のいずれか１項に記載のディスプレイシステム。
【請求項１２】
前記制御装置は、前記複数の端末のそれぞれについて、前記フレーム内において、前記画像を複数回表示させる、請求項７から１１のいずれか１項に記載のディスプレイシステム。
【請求項１３】
前記画像は、互いの画像の輝度を加算した場合に前記画像全体を構成する複数の部分画像からなり、
前記制御装置は、前記複数の端末のそれぞれについて、前記フレーム内において、前記複数の部分画像それぞれを１回ずつ表示させる、請求項７から１１のいずれか１項に記載のディスプレイシステム。
【請求項１４】
前記制御装置は、前記打消画像が前記複数の端末に同時に表示されないように前記複数の端末を制御する、請求項２から１３のいずれか１項に記載のディスプレイシステム。
【請求項１５】
前記複数の端末のそれぞれにおける前記画像の表示周波数が６０Ｈｚ以上である、請求項１から１４のいずれか１項に記載のディスプレイシステム。
【請求項１６】
前記複数の端末のそれぞれにおける前記画像の表示周波数が１２０Ｈｚ以上である、請求項１から１４のいずれか１項に記載のディスプレイシステム。
【請求項１７】
前記複数の端末のそれぞれは、
自端末に固有の暗号鍵と該暗号鍵により暗号化されたデータを復号化するための復号鍵とを生成し、該生成した暗号鍵を前記制御装置へ送信する鍵生成部と、
前記制御装置から受信した表示タイミング信号を前記鍵生成部で生成した復号鍵を用いて復号化する復号化部と、
前記復号化部で復号化された表示タイミング信号に基づいて画像を表示する表示部とを有し、
前記制御装置は、前記複数の端末のそれぞれについて、当該端末の前記鍵生成部から送信された前記暗号鍵を受信し、該受信した暗号鍵を用いて、当該端末における画像の表示を制御するための信号を暗号化し、該暗号化した信号を前記表示タイミング信号として当該端末へ送信する、請求項１から１６のいずれか１項に記載のディスプレイシステム。
【請求項１８】
前記制御装置は、前記複数の端末のそれぞれに、該端末における画像の表示を制御するための表示タイミング信号を送信し、その後、前記表示タイミング信号に基づく画像表示の開始タイミングを示す周期同期信号を前記複数の端末へ一斉に送信し、
前記複数の端末のそれぞれは、自端末への前記表示タイミング信号を受信した後、前記周期同期信号を前記制御装置から受信すると、受信した前記自端末への表示タイミング信号に基づく画像表示を開始する、請求項１から１６のいずれか１項に記載のディスプレイシステム。
【請求項１９】
前記複数の端末のそれぞれは、時刻を計時する時計部を備え、
前記制御装置は、前記複数の端末の間における前記時計部で計時されている時刻の差を取得し、該取得した時刻の差に基づいて、前記複数の端末のそれぞれで表示される画像の切り替わりを同期させる、請求項１から１６のいずれか１項に記載のディスプレイシステム。
【請求項２０】
前記複数の端末のそれぞれは液晶表示部を有し、
前記液晶表示部は、
複数の走査線と、
前記複数の走査線と交差する複数の信号線と、
前記複数の走査線への信号の供給を制御する走査線ドライバと、
前記複数の信号線への信号の供給を制御する信号線ドライバと、
前記複数の走査線と前記複数の信号線との各交差部に設けられた複数の画素部と、
前記交差部のそれぞれに設けられ、一方の端子が該交差部に設けられた信号線に接続され、他方の端子が該交差部に設けられた画素部に接続され、制御用端子が該交差部に設けられた走査線に接続された複数のスイッチ素子と、
前記交差部のそれぞれに設けられ、該交差部に設けられたスイッチ素子の他方の端子に、該交差部に設けられた画素部と並列に接続された複数の蓄積容量と、を有し、
前記複数のスイッチ素子はそれぞれ、自スイッチ素子に接続された走査線に前記走査線ドライバから信号が供給されることでオンまたはオフの状態となり、
前記信号線ドライバは、前記複数のスイッチ素子のうち、オン状態とされたスイッチ素子に接続された蓄積容量および画素部にそれぞれ電圧を供給する、請求項１から１９のいずれか１項に記載のディスプレイシステム。
【請求項２１】
前記液晶表示部は、バックライトと、該バックライトの点灯または消灯を制御する点灯制御部とをさらに有し、
前記液晶表示部に前記画素が表示される表示期間よりも短い画素書込期間において、前記点灯制御部が前記バックライトを消灯するとともに前記信号線ドライバがオン状態とされたスイッチ素子に接続された蓄積容量および画素部にそれぞれ電圧を供給し、
さらに、前記点灯制御部が、前記表示期間から前記画素書込期間を除いた残りの期間の全部または一部の期間にて、前記バックライトを点灯させる、請求項２０に記載のディスプレイシステム。
【請求項２２】
前記複数の端末のそれぞれは液晶表示部を有し、
前記液晶表示部は、
複数の走査線と、
前記複数の走査線と平行に配置された複数の書込制御線と、
前記複数の走査線および複数の書込制御線と交差する複数の信号線と、
前記複数の走査線への信号の供給を制御する走査線ドライバと、
前記複数の信号線への信号の供給を制御する信号線ドライバと、
前記複数の書込制御線への信号の供給を制御する書込制御回路と、
前記複数の走査線および複数の書込制御線と前記複数の信号線との各交差部に設けられた複数の画素部と、
前記交差部のそれぞれに設けられ、一方の端子が該交差部に設けられた信号線に接続され、制御用端子が該交差部に設けられた走査線に接続された複数の第１のスイッチ素子と、
前記交差部のそれぞれに設けられ、該交差部に設けられた第１のスイッチ素子の他方の端子に接続された複数の第１の蓄積容量と、
前記交差部のそれぞれに設けられ、一方の端子が該交差部に設けられた第１のスイッチ素子の他方の端子に接続され、他方の端子が該交差部に設けられた画素部に接続され、制御用端子が該交差部に設けられた書込制御線に接続された複数の第２のスイッチ素子と、
前記交差部のそれぞれに設けられ、該交差部に設けられた第２のスイッチ素子の他方の端子に接続された複数の第２の蓄積容量と、を有し、
前記複数の第１のスイッチ素子はそれぞれ、自スイッチ素子に接続された走査線に前記走査線ドライバから信号が供給されることでオンまたはオフの状態となり、
前記信号線ドライバは、前記複数の第１のスイッチ素子のうち、オン状態とされたスイッチ素子に接続された第１の蓄積容量に電圧を供給し、
前記書込制御回路は、前記信号線ドライバによる前記第１の蓄積容量への電圧の後、前記複数の書込制御線を通じて前記複数の第２のスイッチを同時にオン状態にする、請求項１から１９のいずれか１項に記載のディスプレイシステム。
【請求項２３】
前記複数の端末のそれぞれは、
入力された画像データがフレーム単に一時的に格納されるフレームメモリと、
画像データが入力されると、該入力画像データと、前記フレームメモリに格納されている、該入力画像データの１フレーム前の画像データとを比較し、該比較結果に応じて、該入力画像データに基づく画像の階調を変更するオーバードライブ演算部と、有する、請求項１から２２のいずれか１項に記載のディスプレイシステム。
【請求項２４】
入力された表示タイミング信号に従って画像を表示する複数の端末のそれぞれと通信を行う通信部と、
前記複数の端末における前記画像の表示を制御する表示制御部と、を有し、
前記表示制御部は、前記複数の端末のそれぞれについて、前記画像が前記複数の端末に同時に表示されないように前記画像の表示タイミングを決定し、該決定した表示タイミングを含む信号を、前記表示タイミング信号として、前記複数の端末のそれぞれに前記通信部を通じて送信する、制御装置。
【請求項２５】
前記表示制御部は、前記複数の端末のそれぞれに、前記画像と前記画像とは異なる別の画像とを時分割で表示させ、前記複数の端末の間で、それぞれの端末に表示される画像の切り替わりを同期させるための信号を、前記表示タイミング信号として生成する、請求項２４に記載の制御装置。
【請求項２６】
前記別の画像は、前記画像を打ち消す打消画像を含み、
前記表示制御部は、前記複数の端末のそれぞれについて、当該端末における前記打消画像の表示期間が残りの端末における前記画像の表示期間と重ならないように制御するための信号を、前記表示タイミング信号として生成する、請求項２５に記載の制御装置。
【請求項２７】
前記別の画像は、前記画像および打消画像の両画像とは異なる公衆画像を含み、
前記表示制御部は、前記複数の端末のそれぞれについて、フレーム毎に、前記画像、前記打消画像および前記公衆画像を時分割で表示させる表示順序を決定する、請求項２６に記載の制御装置。
【請求項２８】
前記表示制御部は、
前記フレームの周期を決定する周期決定部と、
前記複数の端末の数に基づいて、前記周期決定部で周期が決定された前記フレーム内における、前記画像、前記打消画像および前記公衆画像を時分割で表示させるためのサブフレームの数を決定する副周期数決定部と、
前記周期決定部で決定された前記フレームの周期と前記副周期数決定部で決定された前記サブフレームの数とに基づいて、前記画像、前記打消画像および前記公衆画像のそれぞれに対応する前記サブフレームの周期をそれぞれ決定する副周期決定部と、
前記複数の端末のそれぞれについて、前記周期決定部で周期が決定された前記フレーム内における、前記画像、前記打消画像および前記公衆画像の表示順序を表示順序決定部と、を有し、
前記表示順序決定部は、前記複数の端末の間で、前記画像を表示するためのサブフレームの期間が互いに重ならないようにし、かつ、前記複数の端末の間で、前記画像を表示するためのサブフレームの期間が前記打消画像を表示するためのサブフレームの期間と重ならないようにする、請求項２７に記載の制御装置。
【請求項２９】
前記表示順序決定部は、前記フレームごとに、前記表示順序をランダムに設定する、請求項２８に記載の制御装置。
【請求項３０】
前記周期決定部は、前記フレームの周期をランダムに設定する、請求項２６または２９に記載の制御装置。
【請求項３１】
前記副周期決定部は、前記フレーム内における、前記画像、前記打消画像および前記公衆画像のそれぞれの表示期間をランダムに設定する、請求項２８から３０のいずれか１項に記載の制御装置。
【請求項３２】
前記表示順序決定部は、前記複数の端末の間で、前記打消画像を表示するためのサブフレームの期間が互いに重ならないようにする、請求項２８から３１のいずれか１項に記載の制御装置。
【請求項３３】
画像を表示する複数の端末と、前記複数の端末と通信を行う制御装置と、前記複数の端末のそれぞれに対応して設けられ、対応する端末と通信を行う複数の光シャッタと、を有するディスプレイシステムにおける表示方法であって、
前記制御装置は、前記複数の端末のそれぞれについて、前記画像が前記複数の端末に同時に表示されないように前記画像の表示タイミングを決定し、該決定した表示タイミングを含む表示タイミング信号を、前記複数の端末のそれぞれに送信し、
前記複数の端末のそれぞれが、前記制御装置から受信した前記表示タイミング信号に従って前記画像を表示するとともに、該画像の表示期間を示す同期信号を、対応する光シャッタに送信し、
前記複数の光シャッタのそれぞれが、対応する端末から受信した前記同期信号に従って、入射光を透過する状態と入射光を遮光する状態との切り替えを行う、表示方法。
【請求項３４】
入力された表示タイミング信号に従って画像を表示する複数の端末のそれぞれと通信可能な制御装置のプログラムであって、
前記複数の端末のそれぞれについて、前記画像が前記複数の端末に同時に表示されないように前記画像の表示タイミングを決定する処理と、
決定した前記表示タイミングを含む信号を、前記表示タイミング信号として、前記複数の端末のそれぞれに送信する処理とを、前記制御装置のコンピュータに実行させるプログラム。
【発明の詳細な説明】
【技術分野】
【０００１】
本発明は、ディスプレイシステム、制御装置、表示方法およびプログラムに関する。
【背景技術】
【０００２】
近年、液晶ディスプレイやプラズマディスプレイなどのフラットパネルディスプレイは、携帯電話といったモバイル機器から公衆ディスプレイといった大型装置まで幅広く適用されている。【０００３】
こういったディスプレイの開発においては、広視野角や高輝度や高画質といった点に重点が置かれており、どのような角度からでも利用者に対して画像を良好に表示するディスプレイが求められてきた。【０００４】
一方、情報機器の発達にともなうユビキタス化が進展する現在では、ディスプレイに表示されている個人情報や秘密情報などのデータを他者に見られないようにすることが重要な課題となっている。【０００５】
近年の携帯電話機の中には、光学的な遮蔽板（ルーバー）を設けて、特定の方向からのみ表示内容を見ることが可能なディスプレイが搭載されているものもあるが、利用者の真後ろのように、ディスプレイにほぼ正対する位置に居る他者は、表示されているデータを見ることができてしまうため、機密保持の点からは十分とはいえない。【０００６】
そこで、画像選択機能を有する眼鏡を着用した視聴者のみが特定の画像を視認することができる画像表示装置が提案されている（特開昭６３−３１２７８８号公報（以下、特許文献１と記す。）参照）。【０００７】
特許文献１に開示されている画像表示装置は、画像選択機能を有する眼鏡をかけた利用者のみが視認可能な画像（以下、秘密画像とよぶ）と、該眼鏡を着用していない者が視認可能である他の画像（以下、公衆画像とよぶ）とを表示する。【０００８】
図１に示すように、特許文献１に開示されている画像表示装置は、画像情報蓄積メモリ４０２、合成回路４０５、彩度輝度変換回路４０６、画像表示器４０８、眼鏡シャッタタイミング発生回路４０９および眼鏡４１１からなる。【０００９】
画像情報蓄積メモリ４０２は、フレーム信号４０３に基づいて、入力される画像信号４０１をフレーム単位で格納する。画像情報蓄積メモリ４０２に格納されている画像信号は、フレーム周期にて２回読み出される。【００１０】
最初に読み出された画像信号は、１／２倍に圧縮された第１画像信号４０４として合成回路４０５に供給される。また、２回目に読み出された画像信号は、彩度輝度変換回路４０６により彩度および輝度の変換処理が施された後、第２画像信号４０７として合成回路４０５に供給される。【００１１】
合成回路４０５の出力は、表示信号として画像表示器４０８に供給される。画像表示器４０８は、第１画像信号４０４に基づく画像と、第２画像信号４０７に基づく画像とを交互に表示する。【００１２】
眼鏡シャッタタイミング発生回路４０９は、フレーム信号４０３に基づいて、眼鏡４１１が具備するシャッタを駆動するための眼鏡シャッタ駆動信号４１０を生成する。眼鏡シャッタ駆動信号４１０は、第２画像信号４０７に基づく画像が表示されている期間において、眼鏡４１１のシャッタがオン（遮断状態）とされるようなタイミング信号である。眼鏡シャッタタイミング発生回路４０９から出力された眼鏡シャッタ駆動信号４１０に基づいて眼鏡４１１のシャッタが駆動することで、眼鏡４１１を着用している利用者は、第１画像信号４０４に基づく画像のみを視認する。【００１３】
利用者以外の眼鏡４１１を着用していない者には、視覚の時間的な積分効果（残像）により、第１画像信号４０４に基づく画像と第２画像信号４０７に基づく画像とが融合した灰色画像が見える。この灰色画像は、第１画像信号４０４に基づく画像とは全く異なる画像である。そのため、眼鏡４１１を着用していない者は、第１画像信号４０４に基づく画像を視認することはできない。
【発明の概要】
【００１４】
特許文献１に記載の画像表示器と眼鏡を備えた画像表示装置を複数設置し、複数の利用者がそれぞれ別々の画像表示装置を同時に利用するような利用形態において、以下のような問題がある。
【００１５】
各画像表示装置の画像表示器は、互いに独立した周波数（フレームレート）および位相で画像を切り替えて表示する。また、各画像表示器に対応して設けられた眼鏡はそれぞれ、対応する画像表示器の表示周期に同期してオン・オフが制御されている。この場合、各画像表示装置の画像表示器の画像の表示タイミングによっては、ある画像表示装置の利用者が、着用している眼鏡を通して他の画像表示装置の画像表示器が表示している画像を見ると、秘密画像や公衆画像、あるいはそれらの混合画像が一定の周期で知覚される。このような知覚画像は、閲覧者にとって非常に目障りなフリッカとして知覚される。
【００１６】
例えば、列車や航空機のなかで隣同士に座っている２人の利用者がそれぞれ別々の画像表示装装置（画像表示器および眼鏡を含む）を用いて作業をしているものとする。このような状況では、一方の利用者が眼鏡を通して自己が使用している画像表示器の画面を見ている場合に、隣の他方の利用者が使用している画像表示器の画面の一部または全部が、一方の利用者の視界の端に入る場合がある。一般的に、人間は、中心視野よりも周辺視野の方がフリッカを感じやすいという視覚特性を有する。そのため、隣の他方の利用者が使用している画像表示器において一定の周期で切り替えられている画像（秘密画像や公衆画像あるいはそれらの混合画像）が利用者の周辺視野に入った場合、その画像がフリッカとしてより強く知覚されてしまう。このことは、隣に居る他方の利用者にとっても同様に当てはまる。
【００１７】
このように、複数の利用者がそれぞれ、近接して配置された別々の画像表示装置を同時に利用する利用形態において、眼鏡（光シャッタ）を掛けている利用者の視界において、他者が使用している画像表示装置にて表示される画面がフリッカとして知覚されるという問題点がある。
【００１８】
本発明は、上述した課題を解決するディスプレイシステム、制御装置、表示方法およびプログラムを提供することを目的とする。
【００１９】
上記目的を達成するため、本発明のディスプレイシステムは、画像を表示する複数の端末と、前記複数の端末における前記画像の表示を制御する制御装置と、前記複数の端末のそれぞれに対応して設けられ、対応する端末に前記画像が表示されている期間は入射光を透過する状態とされ、それ以外の期間は入射光を遮光する状態とされる複数の光シャッタと、を有する。前記制御装置は、前記画像が前記複数の端末に同時に表示されないように前記複数の端末を制御する。
【００２０】
また、本発明の制御装置は、入力された表示タイミング信号に従って画像を表示する複数の端末のそれぞれと通信を行う通信部と、前記複数の端末における前記画像の表示を制御する表示制御部と、を有する。前記表示制御部は、前記複数の端末のそれぞれについて、前記画像が前記複数の端末に同時に表示されないように前記画像の表示タイミングを決定し、該決定した表示タイミングを含む信号を、前記表示タイミング信号として、前記複数の端末のそれぞれに前記通信部を通じて送信する。
【００２１】
また、本発明の表示方法は、画像を表示する複数の端末と、前記複数の端末と通信を行う制御装置と、前記複数の端末のそれぞれに対応して設けられ、対応する端末と通信を行う複数の光シャッタと、を有するディスプレイシステムにおける表示方法であって、前記制御装置が、前記複数の端末のそれぞれについて、前記画像が前記複数の端末に同時に表示されないように前記画像の表示タイミングを決定し、該決定した表示タイミングを含む表示タイミング信号を、前記複数の端末のそれぞれに送信し、前記複数の端末のそれぞれが、前記制御装置から受信した前記表示タイミング信号に従って前記画像を表示するとともに、該画像の表示期間を示す同期信号を、対応する光シャッタに送信し、前記複数の光シャッタのそれぞれが、対応する端末から受信した前記同期信号に従って、入射光を透過する状態と入射光を遮光する状態との切り替えを行うようになっている。
【００２２】
また、本発明のプログラムは、入力された表示タイミング信号に従って画像を表示する複数の端末のそれぞれと通信可能な制御装置のプログラムであって、前記複数の端末のそれぞれについて、前記画像が前記複数の端末に同時に表示されないように前記画像の表示タイミングを決定する処理と、決定した前記表示タイミングを含む信号を、前記表示タイミング信号として、前記複数の端末のそれぞれに送信する処理とを、前記制御装置のコンピュータに実行させる。
【図面の簡単な説明】
【００２３】
【図１】一般的な画像表示装置の構成の一例を示す図である。
【図２】本発明の第１の実施形態であるディスプレイシステムの構成を示すブロック図である。
【図３】図２に示すディスプレイシステムの排他表示制御の一例を説明するための図である。
【図４】図２に示すディスプレイシステムの表示制御部の構成を示すブロック図である。
【図５】本発明の第２の実施形態であるディスプレイシステムの排他表示制御の一例を説明するための図である。
【図６】本発明の第２の実施形態であるディスプレイシステムの構成を示すブロック図である。
【図７】本発明の第３の実施形態であるディスプレイシステムの構成を示すブロック図である。
【図８】図２に示すディスプレイシステムの排他表示制御における各表示端末の動作に対する偽造光シャッタによる不正行為を説明するための図である。
【図９】本発明の第４の実施形態であるディスプレイシステムの排他表示制御の一例とその排他表示制御における各表示端末の動作に対する偽造光シャッタによる不正行為を説明するための図である。
【図１０】本発明の第５の実施形態であるディスプレイシステムの排他表示制御の一例とその排他表示制御における各表示端末の動作に対する偽造光シャッタによる不正行為を説明するための図である。
【図１１】本発明の第６の実施形態であるディスプレイシステムの排他表示制御の一例とその排他表示制御における各表示端末の動作に対する偽造光シャッタによる不正行為を説明するための図である。
【図１２】本発明の第７の実施形態であるディスプレイシステムの排他表示制御の一例とその排他表示制御における各表示端末の動作に対する偽造光シャッタによる不正行為を説明するための図である。
【図１３】本発明のディスプレイシステムの表示端末に用いる表示部の第１の構成例を示すブロック図である。
【図１４】図１３に示す表示部の動作の第１の例を示す模式図である。
【図１５】図１３に示す表示部の動作の第２の例を示す模式図である。
【図１６】本発明のディスプレイシステムの表示端末に用いる表示部の第２の構成例を示すブロック図である。
【図１７】図１６に示す表示部の動作の一例を示す模式図である。
【図１８】本発明のディスプレイシステムの表示端末に適用されるオーバードライブを行う表示端末の構成の一例を示すブロック図である。
【図１９】図１８に示す表示端末で使用するオーバードライブルックアップテーブルのデータ構造の一例を示す図である。
【図２０】本発明のディスプレイシステムの利用形態の一例を説明するための模式図である。
【符号の説明】
【００２４】
１−１、１−２、１−３、１−４  表示端末
１１−１、１１−２、１１−３、１１−４  通信部
１２−１、１２−２、１２−３、１２−４  表示部
１２１  走査線
１２２  信号線
１２３  走査線ドライバ
１２４  信号線ドライバ
１２５  画素
１２６  蓄積容量
１２７  薄膜トランジスタ
１２９  バックライト
１２９Ａ  点灯制御部
１３−１、１３−２、１３−３、１３−４  光シャッタ制御部
１４−１、１４−２  鍵生成部
１５−１、１５−２  復号化部
２−１、２−２、２−３、２−４  光シャッタ
３  表示制御装置
３１  通信部
３２  表示制御部
３２１  フレーム時間決定部
３２２  サブフレーム数決定部
３２３  サブフレーム時間決定部
３２４  表示順序決定部
３３  フレーム同期制御部
３４  暗号化部
【発明を実施するための形態】
【００２５】
以下、本発明における一実施形態を、図面を参照して説明する。
【００２６】
（第１の実施形態）
図２は、本発明の第１の実施形態であるディスプレイシステムの構成を示すブロック図である。
【００２７】
図２に示すように、本実施形態のディスプレイシステムは、複数の表示端末１−１〜１−４と、光シャッタ２−１〜２−４と、表示制御装置３とから構成されている。
【００２８】
表示端末１−１〜１−４それぞれは、任意の画像を表示するための表示部１２−１〜１２−４を有しており、複数の画像の時分割表示などを行うことができる。
【００２９】
表示端末１−１〜１−４それぞれは、例えば、ノート型パーソナルコンピュータのように装置本体に表示部を備える端末でもよく、デスクトップ型パーソナルコンピュータのように表示部が装置本体と別に設けられた端末でもよい。また、図２においては表示端末の台数が４つであるが、これに限定されない。表示端末は複数台であればよい。
【００３０】
表示端末１−１〜１−４と表示制御装置３とは、互いに通信可能に接続されている。表示端末１−１〜１−４と表示制御装置３との接続方式は、ネットワークケーブルやＵＳＢ（Universal  Serial  Bus）などの有線接続方式でもよく、また、無線ＬＡＮ（Local  Area  Network）やＢｌｕｅｔｏｏｔｈ（登録商標）などの無線接続方式でもよい。また、表示端末１−１〜１−４および表示制御装置３それぞれが接続されるネットワークは任意であり、例えば、ＬＡＮやＷＡＮ（Wide  Area  Network）などでもよい。
【００３１】
また、表示端末１−１〜１−４と光シャッタ２−１〜２−４とは、それぞれ１対１で対応し、対応する表示端末と光シャッタは通信可能に接続されている。例えば、表示端末１−１と光シャッタ２−１とは、通信可能に接続されている。
【００３２】
光シャッタ２−１〜２−４それぞれは、表示端末１−１〜１−４それぞれに表示される秘密画像ＳＲを見るためのシャッタである。例えば、光シャッタ２−１は、表示端末１−１に表示される秘密画像ＳＲを見るためのシャッタである。
【００３３】
秘密画像ＳＲは、表示端末１−１〜１−４からそれぞれ送信されてくる同期信号により動作する光シャッタ２−１〜２−４を着用している利用者のみが見ることのできる画像である。また、秘密画像ＳＲは、個人情報などの秘密情報（所定の内容）を含む画像である。
【００３４】
なお、光シャッタ２−１〜２−４は、利用者が着用可能な形態、例えば眼鏡やゴーグルなど形態をなすものであってもよく、カード形状の形態であってもよい。
【００３５】
表示制御装置３は、各表示端末１−１〜１−４の表示部１２−１〜１２−４に表示される画像の表示タイミングを制御する制御装置である。
【００３６】
より具体的には、表示制御装置３は、表示端末１−１〜１−４の利用者それぞれが、該利用者自身が使用している表示端末以外の表示端末に表示される秘密画像ＳＲを視認できないよう、表示端末１−１〜１−４それぞれにおける秘密画像ＳＲと反転画像ＲＶと公衆画像ＰＢとを表示させる表示タイミングを制御する。この制御を、以下では排他表示制御という。
【００３７】
ここで、排他表示制御の一例について、図３を参照して説明する。なお、図３においては、１つのフレームは５つのサブフレームからなる。
【００３８】
表示端末１−１〜１−４それぞれは、１つのフレームにおいて、秘密画像ＳＲと反転画像ＲＶと公衆画像ＰＢとを表示する。ただし、表示端末１−１〜１−４それぞれにおける秘密画像ＳＲの表示タイミングは異なる。
【００３９】
反転画像ＲＶは、同じフレームのなかで表示される秘密画像ＳＲを打ち消すための画像である。
【００４０】
公衆画像ＰＢは、光シャッタ２−１〜２−４を着用していない者が見ることのできる画像である。
【００４１】
本実施形態では、図３に示すように、１つのフレーム（例えば、第１フレームＦＲ−１）において、表示端末１−１は、秘密画像ＳＲ、公衆画像ＰＢ、公衆画像ＰＢ、公衆画像ＰＢ、反転画像ＲＶの順で表示を行い、表示端末１−２は、公衆画像ＰＢ、秘密画像ＳＲ、公衆画像ＰＢ、公衆画像ＰＢ、反転画像ＲＶの順で表示を行い、表示端末１−３は、公衆画像ＰＢ、公衆画像ＰＢ、秘密画像ＳＲ、公衆画像ＰＢ、反転画像ＲＶの順で表示を行い、表示端末１−４は、公衆画像ＰＢ、公衆画像ＰＢ、公衆画像ＰＢ、秘密画像ＳＲ、反転画像ＲＶの順で表示を行う。
【００４２】
なお、１つのフレーム（例えば、第１フレームＦＲ−１）において、公衆画像ＰＢが連続するサブフレーム（例えば、表示端末１−１にて表示される第２サブフレーム、第３サブフレーム、第４サブフレーム）は、この期間に公衆画像ＰＢが表示されればよいので、画像の書き換えは必ずしもサブフレーム単位で行う必要はない。表示端末がＣＲＴ（Cathode  Ray  Tube）ディスプレイや有機ＥＬ（Electro  Luminescence）ディスプレイのようにパルス発光型のディスプレイである場合には、画像のちらつきを低減するためにサブフレーム単位で書き込む（再描画する）ことが望ましい。一方、表示端末が液晶ディスプレイのようにホールド型の表示装置である場合は、一度画像を書き込むと画像が保持される。このため、公衆画像ＰＢが連続する第２乃至第４サブフレームについて、第２サブフレームで一度公衆画像を書き込んでおけば、第３サブフレームや第４サブフレームについては公衆画像を書き込まなくても良い。このように画像の書き込む回数を減らすことで、消費電力を低減することができる。
【００４３】
なお、図３に示した秘密画像ＳＲや反転画像ＲＶや公衆画像ＰＢを順次表示する周波数は、利用者が画像を見た場合に、それらの画像が時間的に融合して視認される程度に設定する必要がある。具体的には、フレームの周波数は６０Ｈｚ以上であり、秘密画像ＳＲと反転画像ＲＶと公衆画像ＰＢとをそれぞれ表示するサブフレームの周波数は１８０Ｈｚ以上であることが望ましい。
【００４４】
光シャッタ２−１〜２−４は、表示端末１−１〜１−４と一対一で対応しており、対応する表示端末が秘密画像ＳＲを表示している期間においてＯＮ（光を透過）となり、その他の期間はＯＦＦ（光を遮断）となる。したがって、光シャッタ２−１を着用している利用者Ｕ１は、光シャッタ２−１を通じて、表示端末１−１の表示部１２−１に表示された秘密画像ＳＲを視認することができる。これと同様に、利用者Ｕ２〜Ｕ４は、それぞれが着用している光シャッタ２−３〜２−４を通じて、表示端末１−２〜１−４に表示された秘密画像ＳＲを視認することができる。
【００４５】
なお、表示端末１−１〜１−４それぞれにおいてフレーム内で表示された秘密画像ＳＲは、当該フレーム内で表示される反転画像ＲＶによって打ち消される。このため、光シャッタ２−１〜２−４を通さないで各表示端末１−１〜１−４の表示部１２−１〜１２−４を第３者が見た場合、第３者は、秘密画像ＳＲを見ることができず、公衆画像ＰＢのみを視認する。
【００４６】
表示端末１−１〜１−４にてそれぞれ表示される秘密画像ＳＲや公衆画像ＰＢは、表示端末１−１〜１−４のうちの一部または全部において、同じ画像であってもよく、また、表示端末毎に異なっていてもよい。
【００４７】
次に、表示端末１−１〜１−４の具体的な構成について、詳細に説明する。なお、表示端末１−１〜１−４は同じ構成であるため、以下では、表示端末１−１の構成を例に挙げて説明する。
【００４８】
図２に示したように、表示端末１−１は、通信部１１−１と、表示部１２−１と、光シャッタ制御部１３−１とを有する。
【００４９】
通信部１１−１は、表示制御装置３と通信を行う。例えば、通信部１１−１は、表示制御装置３から画像割当信号ＡＳＮを受信する。画像割当信号ＡＳＮは、１つのフレームにおける秘密画像ＳＲ、反転画像ＲＶおよび公衆画像ＰＢをそれぞれ表示するタイミング（タイミング情報）を示す表示タイミング信号である。
【００５０】
表示部１２−１は、通信部１１−１から出力された画像割当信号ＡＳＮに基づいて、図３に示したように、１つのフレームにおいて秘密画像ＳＲと反転画像ＲＶと公衆画像ＰＢとを切り替えて表示する。
【００５１】
光シャッタ制御部１３−１は、表示制御装置３から受信した画像割当信号ＡＳＮに基づいて、同期信号ＳＹＣを光シャッタ２−１へ送信する。同期信号ＳＹＣは、光シャッタ２−１のＯＮ／ＯＦＦの制御を行うための信号である。
【００５２】
この例では、光シャッタ制御部１３−１は、表示部１２−１が秘密画像ＳＲを表示している期間、Ｈｉレベルの同期信号ＳＹＣを光シャッタ２−１へ送信する。また、光シャッタ制御部１３−１は、表示部１２−１が秘密画像ＳＲ以外の画像を表示している期間、Ｌｏｗレベルの同期信号ＳＹＣを光シャッタ２−１へ送信する。
【００５３】
なお、表示端末１−１は、通信部１１−１と光シャッタ制御部１３−１とを同一の筐体内に格納する情報処理装置で構成し、表示部１２−１をモニタなどの表示装置で構成してもよい。また、表示端末１−１は、通信部１１−１、表示部１２−１および光シャッタ制御部１３−１すべてを同一の筐体内に格納する情報処理装置で構成してもよい。
【００５４】
図２に示したように、表示端末１−２〜１−４は、表示端末１−１が有する通信部１１−１と表示部１２−１と光シャッタ制御部１３−１とに対応する、通信部１１−２〜１１−４と、表示部１２−２〜１２−４と、光シャッタ制御部１３−２〜１３−４とを有する。
【００５５】
次に、光シャッタ２−１〜２−４の具体的な構成について、詳細に説明する。なお、光シャッタ２−１〜２−４は同じ構成であるので、以下では、光シャッタ２−１の構成を例に挙げて説明する。
【００５６】
光シャッタ２−１は、通信部（図示せず）とシャッタ機構（図示せず）とを有する。
【００５７】
光シャッタ２−１は、表示端末１−１から同期信号ＳＹＣを受信する。表示端末１−１から受信した同期信号ＳＹＣがＨｉレベルである場合、光シャッタ２−１は、ＯＮ（開）状態とされ、表示端末１−１から受信した同期信号ＳＹＣがＬｏｗレベルである場合には、光シャッタ２−１は、ＯＦＦ（閉）状態とされる。この動作によれば、表示端末１−１における秘密画像ＳＲの表示タイミングと光シャッタ２−１のＯＮ／ＯＦＦ（開閉）タイミングが同期した状態となる。秘密画像ＳＲが表示されている期間は、光シャッタ２−１はＯＮ状態となり、秘密画像ＳＲ以外の画像が表示されている期間は、光シャッタ２−１はＯＦＦ状態となる。
【００５８】
上記の光シャッタ２−１の動作において、同期信号ＳＹＣの論理とシャッタ開閉の論理は逆でもかまわない。すなわち、同期信号ＳＹＣがＨｉレベルの場合にシャッタがＯＦＦとされ、同期信号ＳＹＣがＬｏｗレベルに場合にシャッタがＯＮとされてもよい。同期信号ＳＹＣは暗号化してもよい。暗号化することで、表示端末のユーザー以外に表示タイミングを傍受されることを防ぐことができる。
【００５９】
上述したように表示端末１−１〜１−４は、１つのフレームのなかで複数の画像を高速に切替えて表示する。高速な画像切替を行う場合、例えば公衆画像ＰＢから秘密画像ＳＲに切り替える場合において、光シャッタを通して見た場合に、本来、秘密画像だけが見えるはずが、時間的に１サブフレーム前に表示していた公衆画像ＰＢが映り込んでしまう、いわゆる画像のクロストークが発生する場合がある。この画像のクロストークを回避するために、光シャッタ２−１〜２−４は、高速に開閉可能な光シャッタであることが望ましい。
【００６０】
例えば、光シャッタ２−１〜２−４は、機械的に開閉する機械式シャッタでもよい。また、光シャッタ２−１〜２−４は、対向配置された２枚の偏光板の間に液晶を挟み、該液晶に印加する電圧を制御することにより開閉する液晶シャッタでもよい。液晶シャッタにおいて、適用可能な液晶の方式は、ＴＮ（Twisted  Nematic）方式、ＶＡ（Vertical  Alignment）方式、ＩＰＳ（In  Plane  Switching）方式、ＯＣＢ（Optically  Compensated  Bend）方式などである。また、光シャッタ２−１〜２−４は、液晶として強誘電性液晶や反強誘電性液晶を用いた液晶シャッタであってもよい。この液晶シャッタは高速動作の点で優れている。
【００６１】
なお、表示端末１−１〜１−４から光シャッタ２−１〜２−４への同期信号ＳＹＣの送信に用いる通信方式は、有線通信方式でもよく、また無線通信方式でもよい。ただし、無線通信方式を用いて同期信号ＳＹＣを送信する場合、複数の表示端末から送信される同期信号ＳＹＣが混信しないよう、搬送波の周波数帯の分離などを行って、同期信号ＳＹＣ相互のチャンネルを排他的に設定することが望ましい。
【００６２】
表示端末１−１〜１−４が光シャッタ２−１〜２−４へ送信する同期信号ＳＹＣにどのチャンネルを割当てるかを、表示制御装置３が制御してもよい。この場合、表示制御装置３は、光シャッタ２−１〜２−４へ送信される同期信号ＳＹＣに割当てる各チャンネルを示す情報を付加した画像割当信号ＡＳＮを、表示端末１−１〜１−４へ送信する。
【００６３】
また、混信を回避するために、表示端末１−１〜１−４と光シャッタ２−１〜２−４との対応する組を個別に識別するためのＩＤ（識別情報）をあらかじめ割当て、同期信号ＳＹＣのヘッダなどにそのＩＤを付加してもよい。この場合、光シャッタ２−１〜２−４は、同期信号ＳＹＣを受信した場合、ＩＤに基づいて、受信した同期信号ＳＹＣの宛先を判別し、自身宛の同期信号ＳＹＣに基づいてＯＮ／ＯＦＦ動作を行う。これにより、光シャッタ２−１〜２−４間の同期信号ＳＹＣの混信を避けることができる。この場合、表示端末１−１〜１−４は、同じ周波数帯の搬送波を用いて、同期信号ＳＹＣを送信することが可能である。
【００６４】
次に、表示制御装置３について説明する。
【００６５】
表示制御装置３は、表示端末１−１〜１−４それぞれを識別し、表示端末１−１〜１−４それぞれに表示させる秘密画像ＳＲの表示タイミングが互いに排他となるような表示タイミングを含む画像割当信号ＡＳＮを表示端末１−１〜１−４に送信する。
【００６６】
表示制御装置３は、例えば、パーソナルコンピュータ、サーバ、または無線ＬＡＮのアクセスポイントとして機能する中継装置などであってもよい。また、表示制御装置３は、図２に示したような表示端末１−１〜１−４と別筐体で構成されたものに限定されない。例えば、表示端末１−１〜１−４のうちのいずれか１台が、表示制御装置３としての機能を備えていても良い。
【００６７】
図２に示したように、表示制御装置３は、通信部３１と、表示制御部３２とを有する。表示制御部３２は、表示端末１−１〜１−４それぞれに送信するべき画像割当信号ＡＳＮを生成する。表示端末１−１〜１−４への各画像割当信号ＡＳＮは、表示制御部３２から通信部３１へ供給される。
【００６８】
通信部３１は、表示端末１−１〜１−４それぞれと情報を送受信する。例えば、通信部３１は、表示制御部３２から出力された各画像割当信号ＡＳＮを表示端末１−１〜１−４へ送信する。なお、通信部３１が、画像割当信号ＡＳＮを表示端末１−１〜１−４へ送信する方法としては、以下のような方法が考えられる。
【００６９】
例えば、通信部３１は、表示端末１−１〜１−４それぞれに対して、１フレーム毎に、または、所定数のフレームごとに、１番目のサブフレームの画像を表示する直前に画像割当信号ＡＳＮを送信してもよい。また、表示端末１−１〜１−４が表示制御装置３に接続した時点で、通信部３１が、画像割当信号ＡＳＮを１回だけ、表示端末１−１〜１−４へ送信してもよい。
【００７０】
なお、後述するように、フレームごとに秘密画像ＳＲと公衆画像ＰＢと反転画像ＲＶとの表示タイミングの割当を変更する場合、通信部３１は、１フレーム毎に、画像割当信号ＡＳＮを送信するのが望ましい。また、通信部３１は、画像の切替りのタイミング（例えば、秘密画像ＳＲから公衆画像ＰＢへの切替りタイミング、公衆画像ＰＢから反転画像ＲＶへの切替りのタイミング、反転画像ＲＶから秘密画像ＳＲへの切替りタイミングなど）ごとに、画像割当信号ＡＳＮを対応する表示端末へ逐次送信しても良い。
【００７１】
図４に、表示制御部３２の構成を示す。表示制御部３２は、フレーム時間決定部３２１と、サブフレーム数決定部３２２と、サブフレーム時間決定部３２３と、表示順序決定部３２４とを有する。
【００７２】
フレーム時間決定部３２１は、表示端末１−１〜１−４それぞれにおける１フレームの時間を決定する周期決定部である。フレーム時間決定部３２１は、表示端末１−１〜１−４それぞれについて、秘密画像ＳＲ、公衆画像ＰＢおよび反転画像ＲＶの表示を含むフレームの時間を決定して、該フレームの時間をサブフレーム決定部３２３へ出力する。
【００７３】
サブフレーム数決定部３２２は、１フレームを何個のサブフレームに分割するかを決定する副周期数決定部である。
【００７４】
サブフレーム数決定部３２２は、表示制御装置３と現在接続されている表示端末１−１〜１−４の台数である端末数を検出し、その検出した端末数に基づいて、サブフレームの数を決定して、該サブフレームの数をサブフレーム時間決定部３２３へ出力する。
【００７５】
例えば、表示端末１−１〜１−４は、画像割当信号ＡＳＮの送信を要求するための画像送信要求を表示制御装置３に送る。画像送信要求は、要求元である表示端末を識別可能な情報（端末識別情報）を含む。表示制御装置３では、表示端末１−１〜１−４の各画像送信要求がサブフレーム数決定部３２２に供給される。サブフレーム数決定部３２２は、受信した画像送信要求の端末識別情報に基づいて、表示制御装置３に接続されている表示端末の数を検出する。
【００７６】
次に、サブフレーム数決定部３２２は、検出した端末数に基づいて、１フレームにおけるサブフレームの数を算出する。例えば、端末数が４である場合、４台の表示端末の間で秘密画像ＳＲを排他的に表示するには少なくとも４つのサブフレームが必要である。また、１フレーム内には必ず反転画像ＲＶを表示するための少なくとも１つのサブフレームが必要である。したがって、この場合、サブフレーム数決定部３２２は、１フレームにおけるサブフレームの数は５つであると決定する。
【００７７】
サブフレーム時間決定部３２３は、副周期決定部である。サブフレーム時間決定部３２３は、フレーム時間決定部３２１から出力されたフレームの時間と、サブフレーム数決定部３２２から出力されたサブフレームの数とに基づいて、サブフレームの時間（秘密画像ＳＲ、公衆画像ＰＢおよび反転画像ＲＶのそれぞれの表示期間に対応する）を決定する。具体的には、サブフレーム時間決定部３２３は、フレーム時間決定部３２１から出力されたフレームの時間をサブフレーム数決定部３２２から出力されたサブフレームの数で除算し、その除算値を、サブフレームの時間として決定する。こうして決定したサブフレームの時間は、サブフレーム数決定部３２２から表示順序決定部３２４へ供給される。
【００７８】
表示順序決定部３２４は、表示端末１−１〜１−４のそれぞれについて、サブフレーム時間決定部３２３から供給されたサブフレームの時間を参照して、サブフレーム毎に、どの画像（秘密画像ＳＲと反転画像ＲＶと公衆画像ＰＢとのいずれか）を割り当てるかを決定する。すなわち、表示順序決定部３２４は、表示端末１−１〜１−４のそれぞれについて、１フレーム内における秘密画像ＳＲ、反転画像ＲＶおよび公衆画像ＰＢの表示順序を決定する。
【００７９】
画像の表示順序の決定に関し、表示順序決定部３２４は、表示端末１−１〜１−４のそれぞれについて、フレーム毎の画像の表示順序は同じとなるようにするとともに、表示端末１−１〜１−４の間で、いずれかの表示端末が秘密画像ＳＲを表示している期間において、他の表示端末が秘密画像ＳＲ以外の画像を表示するようにする。具体的には、表示端末１−１では、各フレームにおいて、秘密画像ＳＲ、公衆画像ＰＢ、公衆画像ＰＢ、公衆画像ＰＢ、打消画像ＲＶの順で画像が表示される。一方、表示端末１−２では、各フレームにおいて、公衆画像ＰＢ、秘密画像ＳＲ、公衆画像ＰＢ、公衆画像ＰＢ、打消画像ＲＶの順で画像が表示される。ここで重要なことは、前述したように、表示端末１−１、１−２の間で、秘密画像ＳＲが表示されるサブフレームのフレームにおける位置（順番）が異なるように排他表示制御を行うことである。
【００８０】
また、表示順序決定部３２４は、表示端末１−１〜１−４のそれぞれについて、決定した画像の表示順序を示す画像割当信号ＡＳＮを生成し、それを通信部３１へ出力する。
【００８１】
なお、表示端末１−１〜１−４から光シャッタ２−１〜２−４へ送信される同期信号ＳＹＣは、秘密画像ＳＲがどのタイミングで表示されるかを示す信号であり、画像割当信号ＡＳＮが含む情報とほぼ同じ内容の情報を含んでいる。そのため、表示制御装置３は、表示端末１−１〜１−４へ画像割当信号ＡＳＮを送信するとともに、同期信号ＳＹＣに代えて画像割当信号ＡＳＮを光シャッタ２−１〜２−４へ直接伝送してもよい。
【００８２】
本実施形態によれば、光シャッタ２−１〜２−４のそれぞれは、表示端末１−１〜１−４の対応する表示端末が秘密画像ＳＲを表示している期間のみＯＮ状態とされ、対応する表示端末が秘密画像ＳＲ以外の画像（反転画像ＲＶや公衆画像ＰＢ）を表示している期間はＯＦＦ状態とされる。
【００８３】
したがって、例えば、光シャッタ２−１を着用している利用者Ｕ１は、光シャッタ２−１を通じて表示部１２−１に表示されている秘密画像ＳＲを視認できる。
【００８４】
また、光シャッタ２−１がＯＮ状態とされている期間（表示端末１−１が秘密画像ＳＲを表示している期間）、表示端末１−２〜１−４は秘密画像ＳＲ以外の画像（公衆画像ＰＢ）を表示している。したがって、光シャッタ２−１を着用している利用者Ｕ１が、光シャッタ２−１を通じて、表示端末１−２〜１−４を見た場合、表示端末１−２〜１−４に表示されている公衆画像ＰＢを視認する。すなわち、光シャッタ２−１を着用している利用者Ｕ１は、表示端末１−２〜１−４のそれぞれが表示する秘密画像ＳＲを見ることはできない。
【００８５】
さらに、表示端末１−１〜１−４の画像表示のタイミングは同期しており、各フレームにおいて、表示端末１−１が秘密画像ＳＲを表示している期間（光シャッタ２−１がＯＮ状態とされている期間）は必ず、表示端末１−２〜１−４において公衆画像ＰＢが表示される。したがって、利用者Ｕ１が光シャッタ２−１を通じて表示端末１に表示されている秘密画像ＳＲを見ているときに、その視界に表示端末１−２〜１−４のいずれかに表示されている公衆画像ＰＢが入ったとしても、その公衆画像ＰＢの表示においてフリッカが生じることはない。
【００８６】
利用者Ｕ１の例と同様に、表示端末１−２〜１−４の利用者Ｕ２〜Ｕ４は、自己が使用している表示端末に表示される秘密画像ＳＲを視認することができるが、自己が使用している表示端末以外の表示端末に表示される秘密画像ＳＲを視認することはできず、また、ちらつきも発生しない。
【００８７】
なお、本実施形態のディスプレイシステムでは、１フレーム内において、異なる複数の画像を時分割で表示することから、光シャッタ２−１〜２−４を着用していない者が表示端末１−１〜１−４の各表示部に表示されている画像を見たときのちらつきを抑えるために、フレーム周波数は６０Ｈｚ以上に設定することが望ましい。
【００８８】
また、排他表示制御において、サブフレームに割り当てる画像の順番は、図３に示した順番に限られない。例えば、図３においては、各フレームのなかの５番目のサブフレームにおいて表示端末１−１〜１−４すべてに反転画像ＲＶを表示させているが、反転画像ＲＶを表示させるサブフレームは５番目のサブフレーム以外でもよい。
【００８９】
また、図３に示した画像表示順序において、表示制御装置３は、公衆画像ＰＢ、公衆画像ＰＢ、秘密画像ＳＲ、公衆画像ＰＢ、反転画像ＲＶの順序で画像を表示端末１−１に表示させるとともに、秘密画像ＳＲ、公衆画像ＰＢ、公衆画像ＰＢ、公衆画像ＰＢ、反転画像ＲＶの順で画像を表示端末１−３に表示させてもよい。この場合も、表示端末１−２〜１−４の間における秘密画像ＳＲの排他表示制御を行うことができる。
【００９０】
つまり、表示端末１−１〜１４における画像の表示順序は、利用者が、光シャッタを通じて、自己が利用している表示端末以外の表示端末に表示されている秘密画像ＳＲや反転画像ＲＶを視認できないような順序であればよい。そのため、例えば、表示端末１−１と接続されている光シャッタ２−１がＯＮ状態である期間は、表示端末１−２〜１−４は、秘密画像ＳＲを表示しないことが望ましい。
【００９１】
なお、表示端末１−１が秘密画像ＰＢを表示している期間、光シャッタ２−１がＯＮ状態になるため、この期間に、表示端末１−２〜１−４の少なくとも１台（例えば、表示端末１−２）が秘密画像ＰＢを表示した場合、表示端末１−１の利用者Ｕ１は、光シャッタ２−１を通じて、表示端末１−２が表示している秘密画像ＳＲを視認することができてしまう。さらに、表示端末１−２が秘密画像ＳＲを表示している期間は、光シャッタ２−２もＯＮ状態になる。そのため、表示端末１−２の利用者Ｕ２も、光シャッタ２−２を通じて、表示端末１−１が表示している秘密画像ＳＲを視認することができてしまう。本実施形態によれば、表示端末１−１〜１４のぞれぞれの秘密画像ＳＲの表示期間が異なるので、光シャッタを着用した利用者は、自己が利用している表示端末以外の表示端末に表示されている秘密画像ＳＲを視認することはできない。
【００９２】
また、反転画像ＲＶは秘密画像ＳＲの内容を打ち消すための画像であり、秘密画像ＳＲとの相関が高い画像である。そのため、反転画像ＲＶの内容を他の者に知られることを回避するために、表示端末１−１〜１４の間で、反転画像ＲＶの表示期間は、他の表示端末における秘密画像ＳＲの表示期間と異なるようにすることが望ましい。これにより、例えば、利用者Ｕ１が、光シャッタ２−１を通じて表示端末１−１に表示されている秘密画像ＳＲを見ている場合に、光シャッタ２−１がＯＮ状態の期間において、他の表示端末１−２〜１−４が反転画像ＲＶを表示することを避けることができる。
【００９３】
表示端末１−１〜１４のいずれかが秘密画像ＳＲを表示している期間は、残りの表示端末は、秘密画像ＳＲと相関がない（または、相関が低い）内容を有する画像、例えば公衆画像ＰＢや、階調（例えば、黒レベル）が一様な単色画像などを表示する。
【００９４】
また、表示端末１−１〜１４のいずれかが秘密画像ＳＲを表示している期間において、残りの表示端末は、画像を表示しないことにしてもよい。この場合、例えば表示端末が液晶ディスプレイであれば、画像を表示しないための処理としてバックライトをＯＦＦとしてもよい。
【００９５】
（第２の実施形態）
図６は、本発明の第２の実施形態であるディスプレイシステムの構成を示すブロック図である。
【００９６】
本実施形態のディスプレイシステムにおいては、表示制御装置３がフレーム同期制御部３３を有しており、この点が、第１の実施形態のディスプレイシステムと異なる。
【００９７】
表示端末１−１〜１−４は、表示制御装置３から画像割当信号ＡＳＮを受信した場合、図３に示した表示タイミングで画像を速やかに切替えて表示する。表示端末１−１〜１−４相互の画像表示タイミング（または画像の切り替わりのタイミング）を、正確に一致させる必要がある。
【００９８】
表示端末１−１〜１−４相互の画像表示タイミングを正確に一致させるためには、画像割当信号ＡＳＮの送信に用いる通信路の遅延時間が少ないことが重要である。
【００９９】
例えば、表示制御装置３から表示端末１−１に画像割当信号ＡＳＮを送信する場合の遅延時間と、表示制御装置３から表示端末１−２に画像割当信号ＡＳＮを送信する場合の遅延時間とが異なる場合、表示端末１−１の表示タイミングが表示端末１−２の表示タイミングとずれてしまう。そのため、利用者Ｕ１が光シャッタ２−１を通して表示端末１−２の表示部１２−２を見た場合、秘密画像ＳＲや反転画像ＲＶが一部映りこんで見える場合がある。
【０１００】
また、表示制御装置３と表示端末１−１〜１−４との間の、画像割当信号ＡＳＮの送信に用いる各通信路の遅延時間がフレーム毎に異なる場合がある。この場合、利用者が光シャッタを通して他の利用者の表示端末を見た場合、あるフレームでは公衆画像ＰＢが見えるが、他のフレームでは秘密画像ＳＲあるいは反転画像ＲＶが公衆画像ＰＢに混合された画像が見えることがある。この混合画像は、ちらつきとして知覚されてしまう。
【０１０１】
上述のような状況となることを回避するためには、表示端末１−１〜１−４の間で画像の表示タイミングを相互に一致させる必要がある。
【０１０２】
遅延を少なくするため、表示制御装置３から表示端末１−１〜１−４への画像割当信号ＡＳＮの送信に用いる通信路は、ＬＡＮケーブル（ネットワークケーブル）のように不規則にデータ（画像割当信号ＡＳＮ以外の信号を含む）が流れている通信路ではなく、ＵＳＢケーブルや専用線などのようにできるだけ遅延の少ない接続経路、もしくは、どの表示端末にも同じ遅延時間で届くような接続経路を用いることが望ましい。
【０１０３】
また、表示端末１−１〜１−４の間で画像の表示タイミングを相互に一致させる方法として、図５に示すように、表示順序決定部３２４が、図３に示した連続する２つのサブフレーム同士の間に表示端末１−１〜１−４すべてが公衆画像ＰＢを表示する期間を挿入してもよい。これにより、表示制御装置３から送信されてきた画像割当信号ＡＳＮを受信するタイミングが表示端末１−１〜１−４のそれぞれで異なる場合でも、公衆画像ＰＢを表示する期間を挿入した分だけタイミングマージンが増大し、ちらつきを抑えることができる。
【０１０４】
以下、本実施形態のディスプレイシステムの構成を、図６を参照しながら説明する。
【０１０５】
フレーム同期制御部３３は、周期同期部である。フレーム同期制御部３３は、フレームの先頭を示すフレーム同期信号（画像割当信号ＡＳＮと異なる信号）を表示端末１−１〜１−４すべてへ一斉に送信する。なお、フレーム同期信号は、周期同期信号である。
【０１０６】
表示制御部３２は、通信部３１を通じて、表示端末１−１〜１−４へ画像割当信号ＡＳＮをあらかじめ送信するとともに、画像割当信号ＡＳＮを送信した旨をフレーム同期制御部３３へ通知する。
【０１０７】
画像割当信号ＡＳＮを送信した旨が表示制御部３２からフレーム同期制御部３３へ通知された場合、フレーム同期制御部３３は、すべての表示端末１−１〜１−４へフレーム同期信号を一斉に送信する。このフレーム同期信号の一斉送信には、無線通信方式を用いたブロードキャストが好適である。
【０１０８】
表示端末１−１〜１−４は、フレーム同期信号を受信すると、直ちに（または、所定時間の経過後に）、既に受信していた画像割当信号ＡＳＮに基づいて、サブフレームを順次表示し始める。
【０１０９】
無線通信方式を用いたブロードキャストによれば、一斉送信されたフレーム同期信号の表示端末１−１〜１−４における受信タイミングをほぼ一致させることが可能である。したがって、例えば、表示端末１−１〜１−４の間で、フレーム同期信号に先立って送信された画像割当信号ＡＳＮの受信タイミングに遅延によるずれを生じた場合でも、表示端末１−１〜１−４がそれぞれ、フレーム同期信号に基づいて、サブフレームの表示を同時に開始することで、表示端末１−１〜１−４の画像の表示タイミングを正確に一致させることが可能となる。
【０１１０】
また、表示端末１−１〜１−４のそれぞれが画像を表示する表示タイミングを同期させる別の方法として、表示制御装置３および表示端末１−１〜１−４が時計機能（時計部）を有し、各表示端末１−１〜１−４が計時している時刻情報を利用してそれぞれの表示タイミングを同期させてもよい。
【０１１１】
上記の場合、表示端末１−１〜１−４として、一般的なＰＣなどのように時計機能を有する情報処理装置を適用してもよい。
【０１１２】
なお、本発明におけるサブフレームレートは数百Ｈｚであるため、表示端末１−１〜１−４の時計機能が計時している時刻がｍｓｅｃレベルで互いに一致するとは限らない。
【０１１３】
そのため、表示制御装置３は、表示端末１−１〜１−４の時計機能それぞれが計時している時刻を示す時刻情報を、表示端末１−１〜１−４それぞれから取得する。表示制御装置３は、自身の時計機能が計時している時刻と、表示端末１−１〜１−４のそれぞれから取得した時刻との時間差（遅れまたは進み）を算出する。そして、表示制御装置３は、表示端末１−１〜１−４のそれぞれについて、当該表示端末の時計機能が計時している時刻におけるフレームの開示時刻を、算出した時間差を参照して求め、該求めた時刻と、該フレームにおける秘密画像ＳＲ、反転画像ＲＶおよび公衆画像ＰＢのそれぞれの表示タイミングとを含む画像割当信号ＡＳＮを当該表示端末へ送信する。
【０１１４】
表示端末１−１〜１−４は、表示制御装置３から送信されてきた画像割当信号ＡＳＮに含まれている時刻と画像割当とに従って、フレームにおいて、秘密画像ＳＲと反転画像ＲＶと公衆画像ＰＢを時分割で表示する。このように、表示端末１−１〜１−４の時計が計時している時刻が互いに一致しない場合でも、表示端末１−１〜１−４すべての表示タイミングを同期させることができ、ちらつきのない排他表示制御が可能となる。
【０１１５】
なお、表示制御装置３が有する時計が計時する時刻と、表示端末１−１〜１−４が有する時計が計時する時刻とを同期させる他の方法として、一般的なＮＴＰ（Network  Time  Protocol）サーバ（図示せず）から配信される時刻に表示制御装置３が有する時計と表示端末１−１〜１−４が有する時計とを同期させる方法を用いてもよい。
【０１１６】
以上説明したように、本実施形態によれば、表示制御装置３から送信されてきた画像割当信号ＡＳＮを受信するタイミングが表示端末１−１〜１−４ごとにずれてしまった場合でも、ちらつきを抑えることができる。
【０１１７】
（第３の実施形態）
次に、本発明の第３の実施形態であるディスプレイシステムについて説明する。
【０１１８】
上述した画像割当信号ＡＳＮは、フレームにおいて、表示端末１−１〜１−４それぞれが秘密画像ＳＲと反転画像ＲＶと公衆画像ＰＢとを表示する表示タイミングを含む信号である。そのため、例えば、表示端末１−１が表示端末１−２に送られる画像割当信号ＡＳＮを傍受すると、表示端末１−１の利用者ＵＩに、表示端末１−２の画像表示タイミングが知られてしまう。
【０１１９】
傍受した表示端末１−２用の画像割当信号ＡＳＮに基づいて、表示端末１−２が秘密画像ＳＲを表示するタイミングに同期してＯＮ／ＯＦＦ動作するように光シャッタ２−１を不正に改造した場合、利用者Ｕ１は、表示端末１−２の秘密画像の内容を知ることができる。さらに、表示端末１−２の利用者Ｕ２が、表示端末１−２用の画像割当信号ＡＳＮが利用者Ｕ１によって傍受されたことを認識することは困難である。
【０１２０】
画像割当信号ＡＳＮを暗号化して送信することで、画像割当信号ＡＳＮが他者に傍受された場合でも、秘密画像ＳＲの表示タイミングを知られることを回避することができる。
【０１２１】
本実施形態のディスプレイシステムは、第１の実施形態のものに、画像割当信号ＡＳＮを暗号化して送信する構成を追加したものである。以下、本実施形態のディスプレイシステムの構成を具体的に説明する。表示端末１−１〜１−４は同じ構成であるので、以下では、表示端末１−１〜１−２の構成を例に挙げて説明する。
【０１２２】
図７に示すように、表示端末１−１は、通信部１１−１、表示部１２−１および光シャッタ制御部１３−１に加えて、鍵生成部１４−１および復号化部１５−１を有する。表示端末１−２は、通信部１１−２、表示部１２−２および光シャッタ制御部１３−２に加えて、鍵生成部１４−２および復号化部１５−２を有する。
【０１２３】
鍵生成部１４−１は、表示端末１−１に固有の暗号鍵（公開鍵）ＥＫ１および復号鍵（秘密鍵）ＤＫ１を生成する。暗号鍵ＥＫ１は、通信部１１−１を通じて表示制御装置３へ予め送信され、復号鍵ＤＫ１は復号化部１５−１に供給される。
【０１２４】
鍵生成部１４−２は、表示端末１−２に固有の暗号鍵（公開鍵）ＥＫ２および復号鍵（秘密鍵）ＤＫ２を生成する。暗号鍵ＥＫ２は、通信部１１−２を通じて表示制御装置３へ予め送信され、復号鍵ＤＫ２は復号化部１５−２に供給される。
【０１２５】
表示制御装置３は、通信部３１および表示制御部３２に加えて、暗号化部３４を有する。表示制御部３２は、表示端末１−１用の画像割当信号ＡＳＮおよび表示端末１−２用の画像割当信号ＡＳＮをそれぞれ生成する。これら画像割当信号ＡＳＮは、暗号化部３４に供給される。
【０１２６】
暗号化部３４は、鍵生成部１４−１で生成された暗号鍵ＥＫ１および鍵生成部１４−２で生成された暗号鍵ＥＫ２をそれぞれ保持している。暗号化部３４は、暗号鍵ＥＫ１を用いて表示端末１−１用の画像割当信号ＡＳＮを暗号化するとともに、暗号鍵ＥＫ２を用いて表示端末１−２用の画像割当信号ＡＳＮを暗号化する。
【０１２７】
暗号化された表示端末１−１用の画像割当信号ＡＳＮは、通信部３１を通じて、表示端末１−１へ送信される。暗号化された表示端末１−２用の画像割当信号ＡＳＮは、通信部３１を通じて、表示端末１−２へ送信される。
【０１２８】
表示端末１−１では、通信部１１−１が、表示制御装置３から送信された、暗号化された表示端末１−１用の画像割当信号ＡＳＮを受信し、受信した画像割当信号ＡＳＮを復号化部１５−１に供給する。復号化部１５−１は、暗号化された表示端末１−１用の画像割当信号ＡＳＮを、鍵生成部１４−１で生成した復号鍵ＤＫ１で復号化する。復号化部１５−１は、復号化した画像割当信号ＡＳＮを光シャッタ制御部１３−１および表示部１２−１に供給する。
【０１２９】
表示部１２−１は、復号化した画像割当信号ＡＳＮに基づいて、１つのフレームのなかで秘密画像ＳＲと公衆画像ＰＢと反転画像ＲＶとを表示する。光シャッタ制御部１３−１は、復号化した画像割当信号ＡＳＮに基づいて、光シャッタ２−１を制御するための同期信号ＳＹＣを生成する。
【０１３０】
表示端末１−２では、通信部１１−２が、表示制御装置３から送信された、暗号化された表示端末１−２用の画像割当信号ＡＳＮを受信し、受信した画像割当信号ＡＳＮを復号化部１５−２に供給する。復号化部１５−２は、暗号化された表示端末１−２用の画像割当信号ＡＳＮを、鍵生成部１４−２で生成した復号鍵ＤＫ１で復号化する。復号化部１５−２は、復号化した画像割当信号ＡＳＮを光シャッタ制御部１３−２および表示部１２−２に供給する。
【０１３１】
表示部１２−２は、復号化した画像割当信号ＡＳＮに基づいて、１つのフレームのなかで秘密画像ＳＲと公衆画像ＰＢと反転画像ＲＶとを表示する。光シャッタ制御部１３−２は、復号化した画像割当信号ＡＳＮに基づいて、光シャッタ２−２を制御するための同期信号ＳＹＣを生成する。
【０１３２】
図７に示した構成によれば、画像割当信号ＡＳＮは表示端末１−１、１−２それぞれに固有の暗号鍵で暗号化されているので、表示端末１−１、１−２以外の他の表示端末または利用者Ｕ１〜Ｕ２以外の第３者に画像割当信号ＡＳＮが傍受された場合でも、画像の表示タイミングを知られにくくすることができる。
【０１３３】
なお、同期信号ＳＹＣは、画像割当信号ＡＳＮが含む情報とほぼ同じ内容の情報を含んでいる。そのため、表示端末１−１、１−２のいずれかを不正に利用して他の表示端末にて表示される秘密画像ＳＲを盗み見ようとする利用者などに同期信号ＳＹＮを傍受されると、秘密画像ＳＲが盗み見されてしまうおそれがある。
【０１３４】
傍受された同期信号ＳＹＮを悪用して秘密画像ＳＲが盗み見られることを回避するために、画像割当信号ＡＳＮを暗号化して送信する場合と同様に、光シャッタ制御部１３−１は、鍵生成部１４−１が生成した暗号鍵を用いて、光シャッタ２−１を制御するための同期信号ＳＹＣを生成することが望ましい。これと同様に、光シャッタ制御部１３−２は、鍵生成部１４−２が生成した暗号鍵を用いて、光シャッタ２−２を制御するための同期信号ＳＹＣを生成することが望ましい。
【０１３５】
説明は省略したが、表示端末１−３、１−４も、表示端末１−１と同様の構成を有する。
【０１３６】
（第４の実施形態）
次に、本発明の第４の実施形態であるディスプレイシステムについて説明する。
【０１３７】
第１の実施形態のディスプレイシステムにおいては、図３に示したように、表示端末１−１〜１−４は、各フレームにおいて相対的に同じ表示タイミング（サブフレームの順番）で、秘密画像ＳＲと反転画像ＲＶと公衆画像ＰＢとを表示する。そのため、表示端末１−１〜１−４が各フレームにて相対的に同じタイミングで秘密画像ＳＲと反転画像ＲＶと公衆画像ＰＢとを表示していることを、表示端末１−１〜１−４のいずれかの表示端末の利用者に知られてしまった場合、その利用者が、自己が使用している表示端末に送信されてきた画像割当信号ＡＳＮに基づいて、他の表示端末における表示タイミングを推定できてしまうおそれがある。
【０１３８】
図８は、図３に示した排他表示制御において、表示端末が受信した画像割当信号ＡＳＮを正しく用いる利用者（以下、端末正常利用者という）が表示端末１−１〜１−４を見たときの画像と、自己が使用している以外の他の表示端末に表示される秘密画像ＳＲを盗み見しようとする者が表示端末１−１〜１−４を見たときの画像とを示す図である。
【０１３９】
表示端末１−１に送信されてくる画像割当信号ＡＳＮは、例えば、１番目のサブフレームにて秘密画像ＳＲを表示して、５番目のサブフレームに反転画像ＲＶを表示する旨などの情報を含んでいる。そのため、表示端末１−１の利用者Ｕ１は、表示端末１−１に送信されてくる画像割当信号ＡＳＮに基づいて、表示端末１−２〜１−４は２〜４番目のサブフレームのいずれかに秘密画像ＳＲを表示することを推定できる。
【０１４０】
つまり、利用者Ｕ１は、表示端末１−１に送信されてきた画像割当信号ＡＳＮに含まれている表示タイミングに基づいて、表示端末１−１が秘密画像ＳＲを表示するサブフレーム（第１サブフレーム）以外のサブフレーム（例えば、第２サブフレーム）にてＯＮ状態になるように設定された光シャッタ（以下、偽造光シャッタＩＭＳという）の周波数や位相を調整すれば、表示端末１−２〜１−４に表示される秘密画像ＳＲを覗き見ることができる。
【０１４１】
さらに、図８に示した例では、秘密画像ＳＲが割り当てられるサブフレームは、各フレームについて相対的に同じ表示タイミングである。そのため、他の表示端末の秘密画像ＳＲを見えるように偽造光シャッタＩＭＳの周波数を一旦設定してしまえば、それ以降のフレームにおいて当該他の表示端末が表示する秘密画像ＳＲを見ることができる。
【０１４２】
このように、表示端末１−１〜１−４のいずれかを利用する利用者は、自己が利用している表示端末へ送信されてきた画像割当信号ＡＳＮが示す表示タイミングに基づいて設定された偽造光シャッタＩＭＳを用いて、他の表示端末に表示される秘密画像ＳＲを盗み見ることが可能である。
【０１４３】
以下の説明において、自己が利用している表示端末へ送信されてきた画像割当信号ＡＳＮが示す表示タイミングに基づいて、偽造光シャッタＩＭＳを用いて、他の表示端末に表示される秘密画像ＳＲを覗き見する利用者を端末不正利用者という。
【０１４４】
画像割当信号ＡＳＮを受信可能な表示端末１−１〜１−４を所持（利用）しておらず、シャッタが開閉する周波数・位相を変更可能な偽造光シャッタＩＭＳのみを有する不正な第３者（以下、端末非所持不正者という）が存在する場合を考える。
【０１４５】
表示端末１−１〜１−４に表示される画像のフレーム周波数が一定である場合、端末非所持不正者は、偽造光シャッタＩＭＳのＯＮ／ＯＦＦの制御を行う信号の周波数や位相を、表示端末１−１〜１−４に表示される秘密画像ＳＲのフレーム周波数や位相と同じ値に設定することができる。この場合、表示端末１−１〜１−４に表示される秘密画像ＳＲを盗み見ることができてしまう。
【０１４６】
本実施形態のディスプレイシステムでは、フレーム周波数が一定である場合に、偽造光シャッタＩＭＳによる秘密画像ＳＲの盗み見をされにくくするような排他表示制御が行われる。以下、その排他表示制御の方法について説明する。
【０１４７】
図９に示す排他表示制御の例では、表示制御装置３の表示順序決定部３２４が、フレームごとに、表示端末１−１〜１−４における秘密画像ＳＲの表示タイミング（サブフレーム番号）をランダムに変更している。この点が、図３に示した排他表示制御と異なる。
【０１４８】
ここで、表示端末１−１の利用者Ｕ１が、端末不正利用者であり、表示端末１−１にて受信した画像割当信号ＡＳＮに基づいて偽造光シャッタＩＭＳの開閉タイミングを設定し、他の表示端末の画像を盗み見ようとした場合を考える。
【０１４９】
図９に示した例では、表示順序決定部３２４は、秘密画像ＳＲの表示タイミング（表示順序）をフレームごとにランダムに割り当てる。そのため、自己が使用している表示端末１−１を不正に利用する利用者Ｕ１は、偽造光シャッタＩＭＳを通してあるフレームでは秘密画像ＳＲが見えたとしても、次のフレームで秘密画像ＳＲを見ることができるとは限らない。例えば、次のフレームで、反転画像ＲＶまたは公衆画像ＰＢを見る可能性がある。
【０１５０】
なお、図９に示した例では、１フレームは５つのサブフレームからなり、秘密画像ＳＲと反転画像ＲＶとはそれぞれ１つのサブフレームにて表示され、公衆画像ＰＢは３つのサブフレームにて表示される。この場合、端末不正利用者が、表示端末１−１〜１−４が画像を表示するフレーム周波数と同期した偽造光シャッタＩＭＳを用いて、秘密画像ＳＲまたは反転画像ＲＶを見ることができる確率は２／５である。
【０１５１】
端末不正利用者が、偽造光シャッタＩＭＳを用いて秘密画像ＳＲまたは反転画像ＲＶを見ることができる確率は、排他表示制御の対象となる表示端末１−１〜１−４の台数が増えれば増えるほど、小さくなる。
【０１５２】
以上説明したように、本実施形態によれば、第１の実施形態において図３に示した排他表示制御を行う場合に比較して、端末不正利用者などにより秘密画像ＳＲを盗み見されにくくする（盗み見られる可能性を低くする）ことができる。
【０１５３】
また、本実施形態によれば、表示端末１−１〜１−４が表示する秘密画像ＳＲと公衆画像ＰＢと反転画像ＲＶとは、各フレームにおいてランダムに見える。そのため、ちらつきが大きく、見る者にとって非常に不快な画像として知覚される。
【０１５４】
以下の説明において、他の表示端末において表示されるサブフレームの開始タイミングおよび終了タイミングと同期するように開閉タイミングを設定した偽造光シャッタＩＭＳを通して、サブフレームにてランダムに表示される秘密画像ＳＲと反転画像ＲＶと公衆画像ＰＢとを盗み見したときの画像を同期ランダム画像という。
【０１５５】
なお、図９に示した例において、光シャッタ２−１がＯＮ状態の期間（表示端末１−１が秘密画像ＳＲを表示している期間）において、他の表示端末１−２〜１−４は公衆画像ＰＢを表示する。そのため、画像割当信号ＡＳＮに含まれる表示タイミングに同期して表示端末１−１が表示する秘密画像ＳＲを見ている端末正常利用者（図９の例では、利用者Ｕ１）にとっては、他の表示端末が表示している画像を見た場合でもちらつかず、作業に支障をきたすことを回避することができるという本発明の効果は維持される。
【０１５６】
また、図９に示したように各サブフレームに秘密画像ＳＲと公衆画像ＰＢと反転画像ＲＶとをランダムに表示する場合、フレーム周波数を１２０Ｈｚ以上に設定するのが望ましい。図９に示した排他表示制御では、サブフレームの割り当てがランダムであるため、あるフレームにおいて秘密画像ＳＲが１番目のサブフレームに割り当てられ、その次のフレームにおいて秘密画像ＳＲが５番目のサブフレームに割り当てられる可能性がある。
【０１５７】
上記の場合、フレーム周波数は６０Ｈｚに設定されているにもかかわらず、秘密画像ＳＲのみの周波数（光シャッタを通して見たときの秘密画像ＳＲを表示する周波数）は、約半分の３０Ｈｚ程度に下がってしまう。その結果、光シャッタ２−１〜２−４を通して見たときの秘密画像ＳＲがちらつき、画質が低下するという問題が発生する。
【０１５８】
しかし、フレーム周波数を１２０Ｈｚ以上に設定した場合、表示順序決定部３２４がどのように画像を割当てても秘密画像ＳＲの表示周波数は６０Ｈｚ以上を確保することができ、光シャッタ２−１〜２−４を通して見たときのちらつきを抑制することができる。
【０１５９】
（第５の実施形態）
次に、本発明の第５の実施形態であるディスプレイシステムについて説明する。
【０１６０】
本実施形態においては、第４の実施形態において図９に示したようにフレームごとにサブフレームに画像を割当てる順番をランダムにするとともに、それぞれのフレームごとにフレームの長さ（フレーム周波数）を変更する。
【０１６１】
図９に示した排他表示制御では、表示端末１−１〜１−４が画像を表示するフレーム周波数は一定である。そのため、画像割当信号ＡＳＮを参照不可能な状態で偽造光シャッタＩＭＳを使用する端末非所持不正者が表示端末１−１〜１−４の秘密画像ＳＲを盗み見する場合、偽造光シャッタＩＭＳが開閉する周波数を調整することによりフレーム周波数に同期させることができる。しかし、この場合、端末非所持不正利用者が偽造光シャッタＩＭＳを最大限調整することにより見ることのできる画像は、フレーム内でランダムな表示順序に従って表示される秘密画像ＳＲと反転画像ＲＶと公衆画像ＰＢとのいずれかである同期ランダム画像である。
【０１６２】
しかし、第５の実施形態においては、図１０に示すように、表示制御装置３のフレーム時間決定部３２１がフレームごとにフレーム周波数をランダムに設定する。
【０１６３】
この場合、フレーム周波数がフレームごとに異なるため、端末非所持不正者は、秘密画像ＳＲを盗み見しようとした場合でも、偽造光シャッタＩＭＳを開閉させる周波数と、表示端末に表示される画像のフレーム周波数とを同期するように設定することができない。  なお、図１０に示した排他表示制御において、端末非所持不正者が見ることのできる画像は、ランダムに表示される秘密画像ＳＲと反転画像ＲＶと公衆画像ＰＢとが混合して構成された画像であり、同期ランダム画像よりもさらにちらつきが激しい。このような画像から、秘密画像ＳＲの内容を視覚することは困難である。
【０１６４】
本実施形態によれば、第４の実施形態に示した排他表示制御よりも、端末非所持不正者が偽造光シャッタＩＭＳを用いて秘密画像ＳＲを盗み見ることをより困難とすることができる。
【０１６５】
以下の説明において、偽造光シャッタＩＭＳを開閉させるタイミングとサブフレームの開始または終了タイミングとを同期させることができない状態において見える画像を非同期ランダム画像という。
【０１６６】
見方を変えれば、非同期ランダム画像は、表示制御装置３が存在しない状態で複数の表示端末があり、各表示端末がそれぞれ個別の表示タイミングや周波数で秘密画像ＳＲや反転画像ＲＶや公衆画像ＰＢを表示している場合に、ある１つの表示端末の秘密画像ＳＲの表示に同期した光シャッタを通して他の表示端末が表示している画像を見たときに知覚される、ちらつきが大きな画像と同じであるといえる。
【０１６７】
これに対して、同期ランダム画像は、秘密画像ＳＲと反転画像ＲＶと公衆画像ＰＢとがランダムに見えるものの、偽造光シャッタＩＭＳを開閉させる周波数や位相を調整することにより、サブフレームの開始および終了のタイミングと同期させることができてしまう。そのため、偽造光シャッタＩＭＳが開いているタイミングで、該偽造光シャッタＩＭＳを通して表示画像をスチルカメラで撮影した場合、一定の確率で秘密画像ＳＲを撮影することができてしまう。つまり、他者が同期ランダム画像を見ることができる状態は、他者が非同期ランダム画像を見ることができる状態よりも秘匿性が低い状態であるといえる。
【０１６８】
（第６の実施形態）
次に、本発明の第６の実施形態であるディスプレイシステムについて説明する。
【０１６９】
図８〜１０に示した排他表示制御においては、サブフレーム時間決定部３２３は、フレームごとに、表示端末１−１〜１−４のサブフレームとして、互いに同じ時間に設定した。
【０１７０】
本実施形態においては、図１１に示すように、サブフレーム時間決定部３２３は、表示端末１−１〜１−４ごとに、フレーム周波数だけでなく、サブフレームの時間もランダムに設定する。
【０１７１】
図１０に示した排他表示制御を表示制御装置３が行った場合、端末非所持不正者は偽造光シャッタＩＭＳを開閉させる周波数や位相を調整しても、非同期ランダム画像しか見ることができない。
【０１７２】
しかし、図１０に示した排他表示制御を表示制御装置３が行った場合でも、端末不正利用者（例えば、利用者Ｕ１）は、自己が使用している表示端末１−１を用いて画像割当信号ＡＳＮを受信することができる。そのため、端末不正利用者は、当該画像割当信号ＡＳＮを参照することにより、フレームすべてについてフレーム周波数を知ることができる。
【０１７３】
なお、それぞれのフレームにおいては、表示端末１−１〜１−４相互のフレーム周波数は同じである。そのため、端末不正利用者は、自己が使用している表示端末１−１で受信した画像割当信号ＡＳＮに基づいて偽造光シャッタＩＭＳを開閉させる周波数や位相を調整した場合、その偽造光シャッタＩＭＳを用いて、非同期ランダム画像ではなく同期ランダム画像を見ることができてしまう。つまり、図１０に示した排他表示制御を行った場合、図９に示した排他表示制御を行った場合よりも、端末非所持不正者によって秘密画像ＳＲを盗み見されにくくして秘匿性を向上させることはできるが、端末不正利用者によって秘密画像ＳＲを盗み見されるときの秘匿性については向上させることができない。
【０１７４】
これに対して、図１１に示した排他表示制御を表示制御装置３が行った場合、表示端末１−１〜１−４のサブフレームの時間は一定でない。そのため、端末不正利用者は、自己が使用している表示端末を用いて受信した画像割当信号ＡＳＮを参照した場合でも、自己が使用している以外の他の表示端末におけるサブフレームの時間（サブフレームの開始や終了のタイミング）については知ることができない。
【０１７５】
つまり、本実施形態によれば、端末不正利用者が、自己が使用している表示端末を用いて受信した画像割当信号ＡＳＮが示す表示タイミングに基づいて偽造光シャッタＩＭＳが開閉する周波数や位相の調整を行っても、非同期ランダム画像よりも見やすい画像（例えば、同期ランダム画像）を見ることはできない。
【０１７６】
さらに、１フレームのなかで秘密画像ＳＲや反転画像ＲＶを表示する回数は複数でもよい。この場合、サブフレーム時間決定部３２３は、１フレームにて秘密画像ＳＲを表示する時間の総和と反転画像ＲＶを表示する時間の総和とが同じ値となるよう、秘密画像ＳＲを表示する複数のサブフレームの時間と、反転画像ＲＶを表示する複数のサブフレームの時間とをそれぞれ決定すればよい。
【０１７７】
さらに、表示制御部３２は、秘密画像ＳＲの輝度と反転画像ＲＶの輝度とをサブフレームごとに変更してもよい。この場合、１フレーム中で、秘密画像ＳＲを表示する各サブフレームにおける秘密画像ＳＲの輝度とそのサブフレーム期間との積を、秘密画像ＳＲを表示するサブフレームすべてについて合計した値が、反転画像ＲＶが表示される各サブフレームにおける反転画像ＲＶの輝度とそのサブフレーム期間との積を反転画像ＲＶを表示するサブフレームすべてについて合計した値と同じとなるように設定すればよい。それらの値が同じでない場合は、秘密画像ＳＲもしくは反転画像ＲＶのどちらかの輝度が強く表示され、その結果、光シャッタを通さない人にも秘密画像ＳＲの内容がわかってしまう。
【０１７８】
なお、図１１に示した排他表示制御においても、複数の表示端末のうちいずれかの表示端末が秘密画像ＳＲを表示している期間において、それ以外の他の端末すべてが公衆画像ＰＢを表示している。そのため、サブフレーム周波数に同期して動作している光シャッタ２−１〜２−４を使用している端末正常利用者が他の表示端末の画面を見た場合には、画像がちらつかないという本発明の効果は維持されている。
【０１７９】
図９〜１１に示した排他表示制御のいずれにおいても、図１２に示した様に、１フレームにおいて秘密画像ＳＲを表示する回数を２回以上とすることができる。１フレームにおいて秘密画像ＳＲを２回以上表示する場合、同じ秘密画像ＳＲを毎回表示してもよい。
【０１８０】
また、互いに異なる複数の部分秘密画像ＰＳＲ１〜Ｎ（Ｎ：２以上の整数）で１枚の秘密画像ＳＲを構成し、それら部分秘密画像ＰＳＲ１〜Ｎを１回ずつ表示してもよい。この場合は、複数の部分秘密画像ＰＳＲ１〜Ｎすべてが見えた場合に、秘密画像ＳＲ全体を見ることができる。このように秘密画像ＳＲを分散して表示することにより、秘密画像ＳＲの秘匿性をさらに向上することができる。
【０１８１】
例えば、端末非所持不正者や端末不正利用者が、他の利用者が使用している表示端末が表示する秘密画像ＳＲを盗み見しようとする場合、１つの秘密画像ＳＲ全体を構成する複数の部分秘密画像ＰＳＲ１〜Ｎのうちの一部が見えただけでは完成された秘密画像ＳＲの内容を知ることはできない。１フレームにて表示される１つの秘密画像ＳＲ全体を構成する複数の部分秘密画像ＰＳＲ１〜Ｎすべてが見えた場合にのみ、秘密画像ＳＲ全体を見ることが可能となる。
【０１８２】
そのため、図８〜１０に示した排他表示制御のように、画像を表示する順序の割当やフレーム周波数やサブフレームの時間などをランダムに設定する場合に、秘密画像ＳＲを盗み見される可能性（確率）を低くすることができるという効果がある。
【０１８３】
（第７の実施形態）
次に、本発明の第７の実施形態であるディスプレイシステムについて説明する。
【０１８４】
反転画像ＲＶは秘密画像ＳＲを打ち消すための画像であり、秘密画像ＳＲとの間の空間的な相関性が高い情報を有している。
【０１８５】
そのため、反転画像ＲＶの表示期間が表示端末１−１〜１−４の間で互いに同じに設定されていると、表示端末１−１〜１−４のいずれかの表示端末を用いて、他の表示端末の反転画像ＲＶの表示期間が推定されてしまうおそれがある。この場合、端末不正利用者は、偽造光シャッタＩＭＳを用いることで反転画像ＲＶを見ることができ、ひいては秘密画像ＳＲの内容を推定されるおそれがあり、情報の秘匿性が脆弱なものとなってしまう。
【０１８６】
本実施形態のディスプレイシステムは、秘密画像ＳＲの秘匿性をより向上させることが可能な排他表示制御を行う。以下、その排他表示制御について説明する。
【０１８７】
本実施形態では、図１２に示すように、表示制御装置３２のサブフレーム時間決定部３２３は、表示端末１−１〜１−４のそれぞれに対して、フレームごとに、秘密画像ＳＲの表示期間および反転画像ＲＶの表示期間をランダムに設定する。
【０１８８】
また、表示順序決定部３２４は、表示端末１−１〜１−４のそれぞれに対して、フレームごとに、秘密画像ＳＲの表示順序および反転画像ＲＶの表示順序をランダムに設定する。
【０１８９】
ここで、サブフレーム周波数に同期して動作している光シャッタ２−１〜２−４を使用している端末正常利用者にとっての利便性を低下させないようにするため、反転画像ＲＶの表示期間は、表示端末１−１〜１−４が秘密画像ＳＲをそれぞれ表示する期間との間で互いに排他的に設定することが重要である。例えば、表示端末１−２〜１−４が反転画像ＲＶを表示している期間は、表示端末１−１が秘密画像ＳＲを表示している期間以外に設定すればよい。
【０１９０】
なお、秘密画像ＳＲは表示端末１−１〜１−４間で互いに排他的に表示する必要があるものの、反転画像ＲＶについては必ずしも排他的にする表示する必要はない。その理由は、反転画像ＲＶは、光シャッタを着用していない第３者に秘密画像が見えないようにするための画像であって、反転画像ＲＶの表示期間はすべての光シャッタ２−１〜２−４が遮光状態にあるためである。
【０１９１】
なお、反転画像ＲＶの表示期間を、表示端末１−１〜１−４における秘密画像ＳＲの表示期間と排他的に設定する方法は、図１１に示した排他表示制御だけでなく、図８〜１０に示した排他表示制御に対しても適用することができる。
【０１９２】
（第８の実施形態）
次に、本発明の第８の実施形態であるディスプレイシステムについて説明する。
【０１９３】
各実施形態で説明した排他表示制御を実現するために、表示端末１−１〜１−４は、１つのフレームのなかで複数の画像（秘密画像ＳＲ、反転画像ＲＶおよび公衆画像ＰＢ）を高速に切替えて表示する必要がある。そのため、表示端末１−１〜１−４それぞれが有する表示部１２−１〜１２−４として、有機ＥＬやＦＥＤ（Field  Emission  Display）などのような高速表示に適したディスプレイを用いることが望ましい。
【０１９４】
なお、一般的なディスプレイとしては、液晶方式のディスプレイが広く普及しているが、液晶素子は、有機ＥＬに比べて応答速度が非常に遅い。そのため、液晶素子を用いて各実施形態で説明したような画像の高速表示を行った場合に、画像の切替時（例えば、公衆画像ＰＢから秘密画像ＳＲに切替える際など）に光シャッタを通して見た場合には、本来ならば秘密画像ＳＲだけが見えるはずが、その直前のサブフレームにて表示されていた画像（例えば、公衆画像ＰＢ）が映り込んでしまう、いわゆる画像のクロストークが発生する。
【０１９５】
本実施形態のディスプレイシステムは、上記のような状況となることを回避し、高速表示においてもクロストークのない高画質な液晶方式の表示部１２−１〜１２−４を備える。これら表示部１２−１〜１２−４は同じ構成であるので、以下では、表示部１２−１を例に挙げて説明する。
【０１９６】
まず、本発明に好適な表示部１２−１として液晶表示装置を用いる場合の第１の例について説明する。
【０１９７】
図１３に示すように、表示部１２−１は、格子を形成するように配設された互いに交差する複数の走査線１２１および複数の信号線１２２を有する。表示部１２−１は、複数の走査線１２１への信号の供給を制御する走査線ドライバ１２３と、複数の信号線１２２への信号の供給を制御する信号線ドライバ１２４とをさらに有する。
【０１９８】
表示部１２−１は、複数の走査線１２１と複数の信号線１２２との各交差部近傍に格子を形成するように配設され、かつ、薄膜トランジスタ１２７（以下、ＴＦＴ１２７という）を介して、交差部を構成する走査線１２１および信号線１２２に接続された複数の画素１２５と、これら画素１２５と並列に接続されている複数の蓄積容量１２６とをさらに有する。蓄積容量１２６の数は、画素１２５の数と同じである。なお、格子状に配置された画素１２５のうち、画像データを実際に表示する画素１２５からなる領域が有効表示領域１２８である。
【０１９９】
走査線ドライバ１２３は、スイッチング素子であるＴＦＴ１２７のオンまたはオフを、走査線１２１へ走査信号を入力することにより制御する。
【０２００】
信号線ドライバ１２４は、走査線ドライバ１２３が特定の走査線１２１へ走査信号を入力して該特定の走査線１２１と接続されているＴＦＴ１２７がオンとなった場合、画像データに対応した階調電圧を、該ＴＦＴ１２７と接続されている蓄積容量１２６および画素１２５へ印加する。
【０２０１】
蓄積容量１２６は、印加された階調電圧を一定期間保持する。蓄積容量１２６が保持している階調電圧が画素１２５へ印加されることにより、画素１２５の液晶の透過率が変化する。そして、バックライト１２９から照射された光が画素１２５の液晶を透過することにより当該光が変調され、画像が表示される。
【０２０２】
走査線ドライバ１２３が、１行分の画素１２５のラインを選択する順番は、任意である。例えば、走査線ドライバ１２３は、画面の上から下へまたは下から上へ向かって１ラインずつ選択してもよく、１ライン毎に飛越走査してもよい。その際、信号線ドライバ１２４は、走査線ドライバ１２３が選択した順に、該選択された１行分の画素１２５のラインへ画像データを供給する。
【０２０３】
図１４に、図１３に示した表示部１２−１における１フレーム期間のタイミングチャートの例を示す。この例では、フレーム周波数は６０Ｈｚであり、秘密画像ＳＲと反転画像ＲＶと公衆画像ＰＢとの複数の画像を１フレーム（１／６０秒≒１６．７ミリ秒）に含まれる３つのサブフレームにて表示する。なお、図１４において、３つのサブフレームのうちの１番目のサブフレームにて表示する画像を第１画像といい、２番目のサブフレームにて表示する画像を第２画像といい、３番目のサブフレームにて表示する画像を第３画像という。
【０２０４】
各サブフレームは、１フレームの１／３の期間、すなわち、約５．６ミリ秒の期間だけ表示される。図１４の例では、走査および表示する順番は、第１画像、第２画像、第３画像の順番としている。しかしながら、画像割当信号ＡＳＮの割当によっては、これと異なる順番になる場合もある。また、公衆画像ＰＢが連続して表示される場合もある。
【０２０５】
次に、本発明に好適な表示部１２−１として液晶表示装置を用いる場合の第２の例について説明する。
【０２０６】
図１５は、図１３に示した表示部１２−１における別のタイミングチャートである。図１５において、３つのサブフレームのうちの１番目のサブフレームにて表示する画像を第１画像といい、２番目のサブフレームにて表示する画像を第２画像といい、３番目のサブフレームにて表示する画像を第３画像という。
【０２０７】
図１５の例では、１つのサブフレームよりも短い期間のうちに画素１２５へ画像データを書込む動作（走査）を行った上で、各画素１２５それぞれの液晶の応答を待ってから、点灯制御部１２９Ａがバックライト１２９を点灯させる駆動（いわゆる、バックライトブリンキング駆動）を行う。そのため、利用者Ｕ１〜Ｕ４が光シャッタ２−１〜２−４を通して秘密画像ＳＲを見る場合に、図１４に示した走査方法に比べて、クロストークの少ない画像を見ることができる。
【０２０８】
しかし、図１５に例示したバックライトブリンキング駆動においては、画質が向上する反面、図１４に例示した走査速度の２倍の速度で、画素１２５へ画像データを書込む動作（走査）を行わなければならない。
【０２０９】
図１３に示した走査線１２１や信号線１２２は、例えば、クロム（Ｃｒ）あるいはアルミ（Ａｌ）などの化合物よりなる導体により形成される。しかし、走査線１２１および信号線１２２それぞれは、信号線幅に対して信号線長が非常に長い。そのため、走査線ドライバ１２３や信号線ドライバ１２４と接続されている側から走査線１２１および信号線１２２を見た場合、抵抗成分と容量成分とからなる負荷として見える。
【０２１０】
また、画素１２５自体も、ＴＦＴ１２７の抵抗成分と蓄積容量１２６とから構成される負荷（図１３の例では、一般的なＲＣ回路を用いたローパスフィルタと同様の構造を有している）を形成していると捉えられる。
【０２１１】
そのため、走査速度（周波数）を上げようとした場合、上述した抵抗容量負荷によって、走査線ドライバ１２３や信号線ドライバ１２４から供給された信号の波形の歪みなどが発生する。この場合、走査線ドライバ１２３や信号線ドライバ１２４から信号を供給したにも関わらず、本来印加されるべき適正な階調電圧を画素１２５に印加することができない場合がある。適正な階調電圧を画素１２５へ印加できない場合には、画素１２５を正常に駆動させることができず、ひいては画質低下などの様々な不具合を引き起こしてしまうばかりか、秘密画像ＳＲが打消画像ＲＶによって打ち消されなくなり、情報の秘匿性が低下するおそれがある。
【０２１２】
このような状況となることを回避するための、走査速度を上げずにバックライトブリンキング駆動を行う液晶表示装置を、本発明に好適な表示部１２−１として用いる、第３の例について説明する。
【０２１３】
図１６に、上述した走査速度を上げずにバックライトブリンキング駆動を行う表示部１２−１の構成を示す。
【０２１４】
図１３に示した構成と図１６に示した構成との間の違いは、以下に示す通りである。
【０２１５】
図１６に示した表示部１２−１は、１つの画素１２５を構成するＴＦＴとして、２つのＴＦＴ１２７Ａ、１２７Ｂを有している。また、図１６に示した表示部１２−１は、蓄積容量として、２つの蓄積容量１２６Ａ、１２６Ｂを有している。
【０２１６】
図１６に示した表示部１２−１では、走査線ドライバ１２３ではなく、書込制御回路１２３Ｂが、複数の書込制御線１２８を通じて、各画素１２５に隣接するＴＦＴ１２７Ｂについて、全画面一斉にオンまたはオフする。なお、書込制御回路１２３Ｂは、走査線ドライバ１２３あるいは信号線ドライバ１２４に内蔵されてもよい。
【０２１７】
複数の書込制御線１２８は、複数の走査線１２１と略平行に配置されており、これら書込制御線１２８および走査線１２１と複数の信号線１２２との各交差部に、画素１２５、ＴＦＴ１２７Ａ、１２７Ｂおよび蓄積容量１２６Ａ、１２６Ｂが設けられている。
【０２１８】
図１７に、図１６に示した表示部１２−１における１フレームのタイミングチャートの一例を示す。
【０２１９】
図１７に示すように、走査線ドライバ１２３は、走査線１２１へ走査信号を入力することにより、該走査線１２１と接続されているＴＦＴ１２７Ａのオンまたはオフを制御する。
【０２２０】
走査線ドライバ１２３がＴＦＴ１２７Ａをオンさせた場合、まず、信号線ドライバ１２４が、画像データに対応した階調電圧を蓄積容量１２６Ａへ印加する。蓄積容量１２６Ａは、印加された階調電圧を蓄積する。
【０２２１】
走査線ドライバ１２３および信号線ドライバ１２４による画面を構成する画素１２５すべてへの走査（書込み）が終了すると、書込制御回路１２３Ｂは、画素１２５すべてのＴＦＴ１２７Ｂを一斉にオンさせる。すると、蓄積容量１２６Ａに蓄積されている階調電圧が画素１２５へ書き込まれ、画面全体が新しい画像データでリフレッシュされる。
【０２２２】
また、ＴＦＴ１２７Ｂを一斉にオンさせた直後、書込制御回路１２３Ｂは、全画素のＴＦＴ１２７Ｂを一斉にオフさせる。続いて、走査線ドライバ１２３と信号線ドライバ１２４とが協働して、次の画像データを走査（書込）していく。なお、この走査の間、表示部１２−１は、走査中の画像データの直前の画像データを表示している。
【０２２３】
図１７に示した例では、図１５に示したタイミングチャートと比べ、画素への書込を行うための走査期間として、１サブフレーム期間（約５．６ｍｓｅｃ）すべて使うことができる。すなわち、図１４に示したタイミングチャートと同じ時間の走査期間で画素１２５への書込を行うことができ、走査速度を速くさせることを回避することができる。
【０２２４】
また、点灯制御部１２９Ａは、ＴＦＴ１２７Ｂがオンとなって画像がリフレッシュされ、液晶応答が終わってから、バックライト１２９を点灯させる。そのため、図１５に示した点灯動作と比べて、バックライト１２９の点灯期間を長くすることができ、輝度が向上するという付加的な効果も得られる。
【０２２５】
なお、図１６の構成では、書込制御回路１２３Ｂにより一斉に画素に電圧を書き込む際、蓄積容量１２６Ａと蓄積容量１２６Ｂの容量結合により画素１２５へ印加される電圧が決定される。しかし、蓄積容量１２６Ｂに前の画像データの階調電圧が残っている場合、その残留電圧の値によって、印加電圧が所望の階調電圧からずれてしまう場合がある。このような残留電圧の影響（履歴効果）を解消するために、各画素１２５に、当該液晶画素１２５にかかる電圧を所定の電圧（例えば、接地電位であるＧＮＤレベル）にリセットするためのリセットＴＦＴを別途設けてもよい。この場合、書込制御回路１２３ＢがＴＦＴ１２７Ｂを一斉にオンさせる（つまり、蓄積容量１２６Ａが蓄積している階調電圧が画素１２５へ書込まれる）直前にて、リセットＴＦＴを一旦オンさせた後、さらに画素１２５すべてを一斉にリセットする。この動作によれば、階調電圧の書込の際、前の画像データに付随する残留電圧は蓄積容量１２６Ｂに蓄積されておらず、所望の階調電圧を確実に書込むことができ、ひいては表示画質を向上させることができる。
【０２２６】
本発明では、表示部１２−１〜１２−４において、秘密画像ＳＲまたは反転画像ＲＶを表示する期間以外の期間は公衆画像ＰＢを表示するか、何も表示しないことが望ましい。
【０２２７】
表示部１２−１に何も表示させないために、例えば、階調（例えば、黒レベル）が一様な画像である単色画像を表示してもよい。
【０２２８】
また、図１３または図１６に示した表示部１２−１を用いる場合、秘密画像ＳＲまたは反転画像ＲＶを表示する期間以外の期間、バックライト１２９を消灯させてもよい。これにより、バックライト１２９による電力の消費を回避することができ、バッテリなどにより供給される電力を用いて駆動するノート型パーソナルコンピュータなどを表示端末１２−１〜１２−４として使用している場合に、秘密画像ＳＲ、反転画像ＲＶおよび公衆画像ＰＢの表示を長時間行うことが可能となる。
【０２２９】
次に、本発明に好適な表示部１２−１として液晶表示装置を用いる場合の第４の例について説明する。
【０２３０】
一般的な液晶表示装置において、液晶の応答遅延を補償するための他の方法としては、オーバードライブが知られている。
【０２３１】
オーバードライブとは、受信した１枚の画像（次フレームとする）と、表示部１２−１が表示している、次フレームの直前のフレームの画像（現フレームとする）との比較に基づいて、次フレームを表示装置に表示する際の最終的な画像値を決定する技術である。
【０２３２】
より具体的には、現フレームの画像値よりも次フレームの画像値が大きな場合、次フレームの画像値よりもさらに大きい画像値を次フレームの最終的な画素値として決定する。
【０２３３】
また、現フレームの画像値よりも次フレームの画像値が小さい場合は、次フレームの画像値よりもさらに小さい画像値を次フレームの最終的な画素値として決定する。
【０２３４】
例えば、現フレームが１００階調で、次フレームが１５０階調であった場合、次フレームの最終的な画素値は１８０階調として決定し、該決定した１８０階調を画素に表示させる。前フレームの１００階調を表示させた後に次フレームの元々の階調（この例では１５０階調）を画素に表示させた場合、液晶応答遅延により次フレームは１５０階調相当の輝度まで達成することができない。しかし、次フレームを１８０階調とすることにより液晶の応答が急峻になり、１５０階調相当の輝度とすることができる。
【０２３５】
このように、液晶の応答速度自体を上げるのではなく、現フレームと次フレームとの間の階調差に応じて、次フレームを表示するときの階調を適応的に変化させることで液晶応答の遅延を補償し、所望の輝度を得られ易くできるのが、オーバードライブにおける利点である。
【０２３６】
以下に、排他表示制御により１フレームのなかで秘密画像ＳＲと反転画像ＳＲと公衆画像ＰＢとを切替表示させる場合に、オーバードライブを実施する方法について、図１７を参照して説明する。
【０２３７】
排他表示制御の際にオーバードライブを行う場合、図１８に示すように、表示端末１−１は、通信部１１−１と表示部１２−１と光シャッタ制御部１３−１とに加えて、フレームメモリ１６−１と、ＯＤ（オーバードライブ）演算部１７−１と、ＯＤ−ＬＵＴ（ルックアップテーブル）１８−１とを有する。この点が、図２に示した構成と異なる。
【０２３８】
フレームメモリ１６−１は、現フレームの画像データを記憶しておく役割を果たす。
【０２３９】
ＯＤ演算部１７−１は、ＰＣ等の画像伝送元から伝送されてきた次フレームの画像の画素値と、フレームメモリ１６−１に記憶されている前フレームの画像の画素値とを比較する。そして、ＯＤ演算部１７−１は、画素値の比較の結果に基づいて、次フレームの表示の際に表示部１２−１に表示させる最終的な画素値（以下、オーバードライブ画像データという）を決定する。
【０２４０】
ＯＤ−ＬＵＴ１８−１は、例えば、ＲＯＭ（Read  Only  Memory）またはＲＡＭ（Random  Access  Memory）などの記憶媒体（図示せず）に記憶されている。
【０２４１】
ＯＤ−ＬＵＴ１８−１は、次サブフレームの画像の画像データの画素値と、現サブフレームの画像の画像データの画素値と、オーバードライブ画像データの画素値とを対応付ける情報である。ここで、オーバードライブ画像データの画素値は、出力階調に対応する。
【０２４２】
なお、ＯＤ演算部１７−１は、演算対象画像に相当する演算対象の次サブフレームの画像（例えば、秘密画像ＳＲ）の画像データが通信部１１−１から出力された場合、当該次サブフレームの直前に表示部１２−１が表示する現サブフレームの画像の画像データ（例えば、公衆画像ＰＢ）を、参照画像（例えば公衆画像）としてフレームメモリ１６−１から読出す。
【０２４３】
続いて、ＯＤ演算部１７−１は、ＯＤ−ＬＵＴ１８−１を参照して、次サブフレームの画像（例えば、秘密画像ＳＲ）の画像データの画素値と現サブフレームの画像の画像データの画素値との組と対応付けられているオーバードライブ画像データの画素値を特定する。そして、ＯＤ演算部１７−１は、特定した画素値を含むオーバードライブ画像データを表示部１２−１へ出力する。
【０２４４】
図１９に、画像データが８ビットのデータで構成されている場合のＯＤ−ＬＵＴ１８−１のデータ構造の一例を示す。
【０２４５】
図１９に示すように、ＯＤ−ＬＵＴ１８−１には、演算対象の次サブフレーム画像データと参照画像としての役割を果たす現サブフレーム画像データとの組に対応付けられたオーバードライブ画像データの画素値がマトリクス状に配置されている。なお、ＯＤ−ＬＵＴ１８−１は、演算対象画像および参照画像それぞれの画像データがＬビット（Ｌは１以上の整数）のデータで構成されている場合、２L個の演算対象画像の階調と、２L個の参照画像の階調との組にそれぞれ対応付けられた出力階調を含む。
【０２４６】
図１９においては、例えば、演算対象の次サブフレーム画像データが１であり、かつ、参照用の現サブフレーム画像データが３である場合、ＯＤ演算部１７−１は、オーバードライブ画像データとして１０を特定する。
【０２４７】
なお、ＯＤ−ＬＵＴ１８−１に記憶させておくオーバードライブ画像データは、１つの特定の階調の次フレーム画像データ（例えば、０階調）に対して、参照用の現フレーム画像データがいかなる値（０〜２５５階調）であろうとも、表示部１２−１にて次フレームとしてオーバードライブ画像データを表示したときに、その輝度が一定となるような画素値に設定する。このようなＯＤ−ＬＵＴ１８−１を用いることによって、次フレームの直前のサブフレームがどのような画像であろうとも同じ輝度で表示することができる。つまり、液晶の応答遅延を補償でき、高画質な時分割表示が可能となる。
【０２４８】
なお、ＯＤ−ＬＵＴ１８−１は、図１９に例示した２５６行×２５６列で構成されたマトリクスに限らず、例えば、３２階調ごとに８行×８列で構成されたマトリクスなどでもよい。この場合、ＯＤ演算部１７−１は、線形補間（内挿演算）により所望のオーバードライブ画像データの画素値を算出する。ＯＤ−ＬＵＴ１８−１に記憶させておくオーバードライブ画像データの数を少なくすることにより、ＯＤ−ＬＵＴ１８−１を記憶させる記憶媒体（図示せず）が記憶可能な空き容量をより大きくすることができる。
【０２４９】
なお、本発明の要旨を逸脱しない範囲内で各種の変形例を構成することが可能である。
【０２５０】
上述した例では、表示制御装置３は、表示端末１−１〜１−４が互いに排他的に秘密画像ＳＲを表示するように制御していた。しかし、表示端末１−１〜１−４相互の物理的な位置関係によっては、光シャッタ２−１〜２−４を着用している利用者Ｕ１〜Ｕ４が、他の利用者が利用している表示端末の画面を互いに見ることができない場合がある。例えば、表示端末１−１の表示面の背面と表示端末１−２の表示面の背面とが対向配置されており、利用者Ｕ１は表示端末１−１の表示面の前に、利用者Ｕ２は表示端末１−２の表示面の前にいる場合、利用者Ｕ１からは表示端末１−２の表示面は見えず、逆に利用者Ｕ２からは表示端末１−１の表示面は見えない。
【０２５１】
このような場合には、これらの表示端末に対しては本発明による排他表示制御をしなくとも、一方の利用者から他方の表示端末を見たときに画面がちらついたり、秘密画像が見えたりすることはない。そのため、例えば、表示端末１−１と表示端末１−２の秘密画像の表示タイミングを同じ期間に設定して、表示端末１−１が秘密画像ＳＲを表示するタイミングと表示端末１−２が秘密画像ＳＲを表示するタイミングとの関係を排他にしなくてもよい。
【０２５２】
また、秘密画像ＳＲに限らず、反転画像ＲＶや公衆画像ＰＢの表示タイミングを同じタイミングに設定してもよい。このように、表示制御装置３が、表示端末１−１〜１−４相互の位置関係に応じて排他表示制御の有無を選択するように構成した場合、表示端末１−１〜１−４それぞれの表示タイミングの割当てる自由度を向上させることができる。
【０２５３】
例えば、４台の表示端末１−１〜１−４のうち、表示端末１−１と表示端末１−２が上記のような位置関係であれば、表示制御装置３は、４台の表示端末１−１〜１−４と接続されているものの、排他表示制御の対象とする表示端末の台数は実質的に３台となる。そのため、表示制御装置３が画像割当信号ＡＳＮを生成して送信する処理数をより低減することができる。
【０２５４】
さらに、このような場合には、表示端末１−１〜１−４が１フレームにおいて秘密画像ＳＲを表示する時間を長くすることができる。そのため、光シャッタ２−１〜２−４を通して見た場合の秘密画像ＳＲの輝度が向上し、利用者Ｕ１〜Ｕ４にとっての利便性を向上させることができる。
【０２５５】
また、本発明による排他表示制御の目的は、光シャッタ２−１〜２−４を通して表示端末１−１〜１−４の画面を見る場合に、他の表示端末の画像がちらつかないようにすることである。そのため、他の利用者が使用している表示端末が表示している画像を互いに見ることができない程度に十分離れた距離で表示端末を利用している場合や、物理的な遮蔽物などで仕切られた異なる部屋に表示端末が配置されている場合などには、そもそも排他表示制御を行うことは不要である。そのため、表示制御装置３は、例えば、部屋などのある閉じた空間ごとに１台存在すればよい。なお、表示制御装置３は、部屋などのある閉じた空間ごとに物理的に１台ずつ存在する必要はなく、１台の表示制御装置３とそれに制御される複数の表示端末とを１つの系として捉えた場合に、その系のうちに表示制御装置３としての役割を果たす装置が１台存在していればよい。
【０２５６】
具体例として、２つの部屋ＲＭ―Ａ、ＲＭ−Ｂを含む建物ＢＬＧを考える。この場合、図２０に示すように、１台の表示制御装置３Ａが部屋ＲＭ−Ａに設置され、１台の表示制御装置３Ｂが部屋ＲＭ−Ｂに設置される。表示制御装置３Ａは、部屋ＲＭ−Ａに設置された表示端末１−１Ａ〜１−４Ａの排他表示制御を行う。表示制御装置３Ｂは、部屋ＲＭ−Ｂに設置された表示端末１−１Ｂ〜１−４Ｂの排他表示制御を行ってもよい。
【０２５７】
なお、図２０に示した例では、表示制御装置３Ａと表示制御装置３Ｂは、互いに独立した制御装置である。これら表示制御装置３Ａ、３Ｂを１つの表示制御装置として構成してもよい。この場合、表示制御装置は表示制御装置３Ａ、３Ｂの各構成要素を含む。
【０２５８】
なお、複数の表示制御装置が存在する場合、各表示端末は、複数の表示制御装置（例えば、表示制御装置３Ａおよび３Ｂ）と同時に接続されることがないように制御されることが望ましい。ある表示端末が複数の表示制御装置に同時に接続されている場合、その表示端末は、自己が接続されている表示制御装置それぞれから送信されてきた画像割当信号ＡＳＮを受信する。この場合、当該表示端末は、受信したうちのどの画像割当信号ＡＳＮに基づいて、秘密画像ＳＲと反転画像ＲＶと公衆画像ＰＢとの切替表示を実行すればよいか識別することが困難となってしまう。
【０２５９】
なお、本発明においては、表示制御装置内の各処理部は専用のハードウェアにより実現されるもの以外に、その機能を実現するためのプログラムを表示制御装置にて読取可能な記録媒体に記録し、この記録媒体に記録されたプログラムを表示制御装置に読み込ませ、実行することで実現されるものであってもよい。表示制御装置にて読取可能な記録媒体とは、フロッピーディスク（登録商標）、光磁気ディスク、ＤＶＤ、ＣＤなどの移設可能な記録媒体の他、表示制御装置に内蔵されたＨＤＤ等を指す。この記録媒体に記録されたプログラムは、例えば、表示制御装置が有する制御部にて読み込まれ、制御部の制御によって、上述したものと同様の処理が行われる。
【０２６０】
ここで、表示制御装置が有する制御部は、プログラムが記録された記録媒体から読み込まれたプログラムを実行するコンピュータとして動作するものである。なお、上述したプログラムは、表示端末１−１〜１−４についても同様に適用可能である。
【０２６１】
以上、実施形態を参照して本発明を説明したが、本発明は上述した実施形態に限定されるものではない。本発明の構成および動作については、本発明の趣旨を逸脱しない範囲において、当業者が理解し得る様々な変更を行うことができる。
【０２６２】
この出願は、２００８年１２月１８日に出願された日本出願特願２００８−３２２３７２を基礎とする優先権を主張し、その開示の全てをここに取り込む。
【図１】
0005447391.tif 000002
【図２】
0005447391.tif 000003
【図３】
0005447391.tif 000004
【図４】
0005447391.tif 000005
【図５】
0005447391.tif 000006
【図６】
0005447391.tif 000007
【図７】
0005447391.tif 000008
【図８】
0005447391.tif 000009
【図９】
0005447391.tif 000010
【図１０】
0005447391.tif 000011
【図１１】
0005447391.tif 000012
【図１２】
0005447391.tif 000013
【図１３】
0005447391.tif 000014
【図１４】
0005447391.tif 000015
【図１５】
0005447391.tif 000016
【図１６】
0005447391.tif 000017
【図１７】
0005447391.tif 000018
【図１８】
0005447391.tif 000019
【図１９】
0005447391.tif 000020
【図２０】
0005447391.tif 000021